(57)【特許請求の範囲】
【請求項１】
被写体からの入射光を導く光学系と該光学系により導かれた被写体像を電気信号に変換する撮像素子と外部との通信を行う撮像ユニット側コネクタ部とを有する撮像ユニットが着脱可能なカメラボディであって、
前記撮像ユニット側から見て後方に存在する背面部と、該背面部と一体で通常使用時に上側となる上面部と、前記背面部と前記上面部と一体の側面部とを有し、前記背面部と前記上面部と前記側面部とによって前記撮像ユニットが着脱自在に配設される凹部が構成され、該凹部は下方と側方と前方とに開放されており、
凹部に配設された前記撮像ユニットの前記側面部から離脱する方向への移動を規制するロック機構と、
前記カメラボディから露出して設けられ解除操作が為されると前記ロック機構によるロック状態を解除する第１ロック解除機構と、
前記カメラボディ内に遮蔽されて設けられ解除操作が為されると前記ロック機構によるロック状態を解除する第２ロック解除機構と、を有し、
前記カメラボディは、前記撮像ユニットが装着された状態において、前記第２ロック解除機構の解除操作を可能とすべく該第２ロック解除機構を露出させる露出機能部を有し、
前記露出機能部は、前記カメラボディの外装部材の一部であり、
前記外装部材は、前記カメラボディの前面側を覆う前カバー部材と、前記カメラボディの上面側を覆う上カバー部材と、前記カメラボディの後面側を覆う後カバー部材と、を有し、
前記各カバー部材のうちのいずれか一つが、前記露出機能部として設定され、
前記各カバー部材のうち前記露出機能部として設定されていない他の二つが、前記凹部を構成する構成壁面に配置された止めネジにより前記カメラボディに取り付けられていることを特徴とするカメラボディ。
【請求項２】
前記露出機能部として設定された前記カバー部材は、前記撮像ユニットが前記凹部に装着された状態で前記カメラボディの外側から前記カメラボディに螺合された止めネジにより、前記凹部に装着された前記撮像ユニットに干渉することなく前記カメラボディに取り付けられていることを特徴とする請求項１に記載のカメラボディ。
【請求項３】
前記ロック機構は、前記撮像ユニットに設けられた被ロック部材と係合すべく移動可能なロック部材を有し、
前記第１ロック解除機構および前記第２ロック解除機構は、解除操作が為されると、前記被ロック部材との係合を解除すべく互いに異なる経路を経て前記ロック部材を移動させることを特徴とする請求項１または請求項２に記載のカメラボディ。
【請求項４】
前記第２ロック解除機構は、前記ロック部材と同一の部材から一体的に構成されていることを特徴とする請求項３に記載のカメラボディ。
【請求項５】
前記ロック部材は、前記側壁部と前記上壁部との交差部分に配置されていることを特徴とする請求項３または請求項４に記載のカメラボディ。
【請求項６】
被写体からの入射光を導く光学系と該光学系により導かれた被写体像を電気信号に変換する撮像素子と外部との通信を行う撮像ユニット側コネクタ部とを有する撮像ユニットと、該撮像ユニットが着脱可能なカメラボディとを備える撮像装置であって、
前記カメラボディでは、前記撮像ユニット側から見て後方に存在する背面部と、該背面部と一体で通常使用時に上側となる上面部と、前記背面部と前記上面部と一体の側面部とを有し、前記背面部と前記上面部と前記側面部とによって前記撮像ユニットが着脱自在に配設される凹部が構成され、該凹部は下方と側方と前方とに開放されており、
凹部に配設された前記撮像ユニットの前記側面部から離脱する方向への移動を規制するロック機構と、
前記カメラボディから露出して設けられ解除操作が為されると前記ロック機構によるロック状態を解除する第１ロック解除機構と、
前記カメラボディ内に遮蔽されて設けられ解除操作が為されると前記ロック機構によるロック状態を解除する第２ロック解除機構と、を有し、
前記カメラボディは、前記撮像ユニットが装着された状態において、前記第２ロック解除機構の解除操作を可能とすべく該第２ロック解除機構を露出させる露出機能部を有し、
前記露出機能部は、前記カメラボディの外装部材の一部であり、
前記外装部材は、前記カメラボディの前面側を覆う前カバー部材と、前記カメラボディの上面側を覆う上カバー部材と、前記カメラボディの後面側を覆う後カバー部材と、を有し、
前記カメラボディでは、前記各カバー部材のうちのいずれか一つが、前記露出機能部として設定され、
前記カメラボディでは、前記各カバー部材のうち前記露出機能部として設定されていない他の二つが、前記凹部を構成する構成壁面に配置された止めネジにより前記カメラボディに取り付けられていることを特徴とする撮像装置。
【請求項７】
前記カメラボディでは、前記露出機能部として設定された前記カバー部材が、前記撮像ユニットが前記凹部に装着された状態で前記カメラボディの外側から前記カメラボディに螺合された止めネジにより、前記凹部に装着された前記撮像ユニットに干渉することなく前記カメラボディに取り付けられていることを特徴とする請求項６に記載の撮像装置。
【請求項８】
被写体からの入射光を導く光学系と該光学系により導かれた被写体像を電気信号に変換する撮像素子と外部との通信を行う撮像ユニット側コネクタ部とを有する撮像ユニットが着脱可能なカメラボディであって、
前記撮像ユニットが着脱自在に配設される凹部が構成され、
前記凹部に配設された前記撮像ユニットの前記カメラボディから離脱する方向への移動を規制するロック機構と、
前記カメラボディから露出して設けられ解除操作が為されると前記ロック機構によるロック状態を解除する第１ロック解除機構と、
前記カメラボディ内に遮蔽されて設けられ解除操作が為されると前記ロック機構によるロック状態を解除する第２ロック解除機構と、を有し、
前記カメラボディは、前記撮像ユニットが装着された状態において、前記第２ロック解除機構の解除操作を可能とすべく該第２ロック解除機構を露出させる露出機能部を有し、
前記露出機能部は、前記カメラボディの外装部材の一部であり、
前記外装部材は、前記カメラボディの前面側を覆う前カバー部材と、前記カメラボディの上面側を覆う上カバー部材と、前記カメラボディの後面側を覆う後カバー部材と、を有し、
前記各カバー部材のうちのいずれか一つが、前記露出機能部として設定され、
前記各カバー部材のうち前記露出機能部として設定されていない他の二つが、前記凹部を構成する構成壁面に配置された止めネジにより前記カメラボディに取り付けられていることを特徴とするカメラボディ。
【請求項９】
被写体からの入射光を導く光学系と該光学系により導かれた被写体像を電気信号に変換する撮像素子と外部との通信を行う撮像ユニット側コネクタ部とを有する撮像ユニットと、該撮像ユニットが着脱可能なカメラボディとを備える撮像装置であって、
前記カメラボディには、前記撮像ユニットが着脱自在に配設される凹部が構成され、
前記凹部に配設された前記撮像ユニットの前記カメラボディから離脱する方向への移動を規制するロック機構と、
前記カメラボディから露出して設けられ解除操作が為されると前記ロック機構によるロック状態を解除する第１ロック解除機構と、
前記カメラボディ内に遮蔽されて設けられ解除操作が為されると前記ロック機構によるロック状態を解除する第２ロック解除機構と、を有し、
前記カメラボディは、前記撮像ユニットが装着された状態において、前記第２ロック解除機構の解除操作を可能とすべく該第２ロック解除機構を露出させる露出機能部を有し、
前記露出機能部は、前記カメラボディの外装部材の一部であり、
前記外装部材は、前記カメラボディの前面側を覆う前カバー部材と、前記カメラボディの上面側を覆う上カバー部材と、前記カメラボディの後面側を覆う後カバー部材と、を有し、
前記カメラボディでは、前記各カバー部材のうちのいずれか一つが、前記露出機能部として設定され、
前記カメラボディでは、前記各カバー部材のうち前記露出機能部として設定されていない他の二つが、前記凹部を構成する構成壁面に配置された止めネジにより前記カメラボディに取り付けられていることを特徴とする撮像装置。
【発明の詳細な説明】
【技術分野】
【０００１】
本発明は、撮像ユニットが着脱されるカメラボディおよび撮像ユニットとカメラボディとの組み合わせ体からなる撮像装置の改良に関する。
【背景技術】
【０００２】
従来から、カメラボディに対して撮像ユニットが着脱可能な撮像装置が知られている（例えば、特許文献１参照。）。
【０００３】
この従来の撮像装置では、カメラボディは撮像ユニットを着脱可能に格納する格納凹部を有する。この格納凹部は、背壁部（背面部）と、この背壁部と一体の上壁部（上面部）と下壁部（下面部）と側壁部（側面部）とにより構成されている。そのカメラボディには、側壁部から遠い側に背壁部と上壁部と下壁部とによって構成される着脱開口が設けられている。
【０００４】
この従来の撮像装置では、撮像ユニットをその着脱開口に臨ませ、背壁部に沿って側壁部に向かって押し込むことにより、撮像ユニットがカメラボディに収容される。その逆に、撮像ユニットを背壁部に沿って側壁部から遠ざかる方向に引き抜くことにより、撮像ユニットはカメラボディから取り外される。
【発明の概要】
【発明が解決しようとする課題】
【０００５】
ところで、この従来の撮像装置では、取り外しのための操作部（例えば、イジェクトボタン）を操作することにより、撮像ユニットをカメラボディから取り外すことが可能とされているが、この操作部が使えなくなる事態が生じた場合、撮像ユニットをカメラボディから取り外すことができなくなる虞がある。
【０００６】
本発明は、上記の事情に鑑みて為されたもので、その目的は、取り外しのための操作部が使えなくなる事態が生じた場合であっても、カメラボディから撮像ユニットを取り外すことができるカメラボディおよび撮像装置を提供することにある。
【課題を解決するための手段】
【０００７】
請求項１に記載のカメラボディは、被写体からの入射光を導く光学系と該光学系により導かれた被写体像を電気信号に変換する撮像素子と外部との通信を行う撮像ユニット側コネクタ部とを有する撮像ユニットが着脱可能なカメラボディであって、前記撮像ユニット側から見て後方に存在する背面部と、該背面部と一体で通常使用時に上側となる上面部と、前記背面部と前記上面部と一体の側面部とを有し、前記背面部と前記上面部と前記側面部とによって前記撮像ユニットが着脱自在に配設される凹部が構成され、該凹部は下方と側方と前方とに開放されており、凹部に配設された前記撮像ユニットの前記側面部から離脱する方向への移動を規制するロック機構と、前記カメラボディから露出して設けられ解除操作が為されると前記ロック機構によるロック状態を解除する第１ロック解除機構と、前記カメラボディ内に遮蔽されて設けられ解除操作が為されると前記ロック機構によるロック状態を解除する第２ロック解除機構と、を有し、前記カメラボディは、前記撮像ユニットが装着された状態において、前記第２ロック解除機構の解除操作を可能とすべく該第２ロック解除機構を露出させる露出機能部を有し、前記露出機能部は、前記カメラボディの外装部材の一部であり、前記外装部材は、前記カメラボディの前面側を覆う前カバー部材と、前記カメラボディの上面側を覆う上カバー部材と、前記カメラボディの後面側を覆う後カバー部材と、を有し、前記各カバー部材のうちのいずれか一つが、前記露出機能部として設定され、前記各カバー部材のうち前記露出機能部として設定されていない他の二つが、前記凹部を構成する構成壁面に配置された止めネジにより前記カメラボディに取り付けられていることを特徴とする。
【０００８】
請求項２に記載のカメラボディは、請求項１に記載のカメラボディであって、前記露出機能部として設定された前記カバー部材は、前記撮像ユニットが前記凹部に装着された状態で前記カメラボディの外側から前記カメラボディに螺合された止めネジにより、前記凹部に装着された前記撮像ユニットに干渉することなく前記カメラボディに取り付けられていることを特徴とする。
【０００９】
請求項３に記載のカメラボディは、請求項１または請求項２に記載のカメラボディであって、前記ロック機構は、前記撮像ユニットに設けられた被ロック部材と係合すべく移動可能なロック部材を有し、前記第１ロック解除機構および前記第２ロック解除機構は、解除操作が為されると、前記被ロック部材との係合を解除すべく互いに異なる経路を経て前記ロック部材を移動させることを特徴とする。
【００１０】
請求項４に記載のカメラボディは、請求項３に記載のカメラボディであって、前記第２ロック解除機構は、前記ロック部材と同一の部材から一体的に構成されていることを特徴とする。
【００１６】
請求項５に記載のカメラボディは、請求項３または請求項４に記載のカメラボディであって、前記ロック部材は、前記側壁部と前記上壁部との交差部分に配置されていることを特徴とする。
【００１７】
請求項６に記載の撮像装置は、被写体からの入射光を導く光学系と該光学系により導かれた被写体像を電気信号に変換する撮像素子と外部との通信を行う撮像ユニット側コネクタ部とを有する撮像ユニットと、該撮像ユニットが着脱可能なカメラボディとを備える撮像装置であって、前記カメラボディでは、前記撮像ユニット側から見て後方に存在する背面部と、該背面部と一体で通常使用時に上側となる上面部と、前記背面部と前記上面部と一体の側面部とを有し、前記背面部と前記上面部と前記側面部とによって前記撮像ユニットが着脱自在に配設される凹部が構成され、該凹部は下方と側方と前方とに開放されており、凹部に配設された前記撮像ユニットの前記側面部から離脱する方向への移動を規制するロック機構と、前記カメラボディから露出して設けられ解除操作が為されると前記ロック機構によるロック状態を解除する第１ロック解除機構と、前記カメラボディ内に遮蔽されて設けられ解除操作が為されると前記ロック機構によるロック状態を解除する第２ロック解除機構と、を有し、前記カメラボディは、前記撮像ユニットが装着された状態において、前記第２ロック解除機構の解除操作を可能とすべく該第２ロック解除機構を露出させる露出機能部を有し、前記露出機能部は、前記カメラボディの外装部材の一部であり、前記外装部材は、前記カメラボディの前面側を覆う前カバー部材と、前記カメラボディの上面側を覆う上カバー部材と、前記カメラボディの後面側を覆う後カバー部材と、を有し、前記カメラボディでは、前記各カバー部材のうちのいずれか一つが、前記露出機能部として設定され、前記カメラボディでは、前記各カバー部材のうち前記露出機能部として設定されていない他の二つが、前記凹部を構成する構成壁面に配置された止めネジにより前記カメラボディに取り付けられていることを特徴とする。
請求項７に記載の撮像装置は、請求項６に記載の撮像装置であって、前記カメラボディでは、前記露出機能部として設定された前記カバー部材が、前記撮像ユニットが前記凹部に装着された状態で前記カメラボディの外側から前記カメラボディに螺合された止めネジにより、前記凹部に装着された前記撮像ユニットに干渉することなく前記カメラボディに取り付けられていることを特徴とする。
【００１８】
請求項８に記載のカメラボディは、被写体からの入射光を導く光学系と該光学系により導かれた被写体像を電気信号に変換する撮像素子と外部との通信を行う撮像ユニット側コネクタ部とを有する撮像ユニットが着脱可能なカメラボディであって、前記撮像ユニットが着脱自在に配設される凹部が構成され、前記凹部に配設された前記撮像ユニットの前記カメラボディから離脱する方向への移動を規制するロック機構と、前記カメラボディから露出して設けられ解除操作が為されると前記ロック機構によるロック状態を解除する第１ロック解除機構と、前記カメラボディ内に遮蔽されて設けられ解除操作が為されると前記ロック機構によるロック状態を解除する第２ロック解除機構と、を有し、前記カメラボディは、前記撮像ユニットが装着された状態において、前記第２ロック解除機構の解除操作を可能とすべく該第２ロック解除機構を露出させる露出機能部を有し、前記露出機能部は、前記カメラボディの外装部材の一部であり、前記外装部材は、前記カメラボディの前面側を覆う前カバー部材と、前記カメラボディの上面側を覆う上カバー部材と、前記カメラボディの後面側を覆う後カバー部材と、を有し、前記各カバー部材のうちのいずれか一つが、前記露出機能部として設定され、前記各カバー部材のうち前記露出機能部として設定されていない他の二つが、前記凹部を構成する構成壁面に配置された止めネジにより前記カメラボディに取り付けられていることを特徴とする。
【００１９】
請求項９に記載の撮像装置は、被写体からの入射光を導く光学系と該光学系により導かれた被写体像を電気信号に変換する撮像素子と外部との通信を行う撮像ユニット側コネクタ部とを有する撮像ユニットと、該撮像ユニットが着脱可能なカメラボディとを備える撮像装置であって、前記カメラボディには、前記撮像ユニットが着脱自在に配設される凹部が構成され、前記凹部に配設された前記撮像ユニットの前記カメラボディから離脱する方向への移動を規制するロック機構と、前記カメラボディから露出して設けられ解除操作が為されると前記ロック機構によるロック状態を解除する第１ロック解除機構と、前記カメラボディ内に遮蔽されて設けられ解除操作が為されると前記ロック機構によるロック状態を解除する第２ロック解除機構と、を有し、前記カメラボディは、前記撮像ユニットが装着された状態において、前記第２ロック解除機構の解除操作を可能とすべく該第２ロック解除機構を露出させる露出機能部を有し、前記露出機能部は、前記カメラボディの外装部材の一部であり、前記外装部材は、前記カメラボディの前面側を覆う前カバー部材と、前記カメラボディの上面側を覆う上カバー部材と、前記カメラボディの後面側を覆う後カバー部材と、を有し、前記カメラボディでは、前記各カバー部材のうちのいずれか一つが、前記露出機能部として設定され、前記カメラボディでは、前記各カバー部材のうち前記露出機能部として設定されていない他の二つが、前記凹部を構成する構成壁面に配置された止めネジにより前記カメラボディに取り付けられていることを特徴とする。
【発明の効果】
【００２０】
本発明によれば、カメラボディから露出する第１ロック解除機構を取り外しのための操作部として利用することができるとともに、その第１ロック解除機構が使えなくなる事態が生じた場合であっても、第２ロック解除機構を解除操作することで、ロック機構によるカメラボディに対する撮像ユニットのロック状態を容易に解除することができる。
【００２１】
また、本発明によれば、撮像ユニットが装着される凹所を利用することで、撮像ユニットが装着された状態において外部から目視することのできない位置にネジ等の剛性向上に寄与する部材を設けることができるので、撮像ユニット交換式ではない構成（撮像ユニットの着脱を意図せず撮像光学系がカメラボディに一体化されて収容された通常の撮像装置）のカメラボディに比較して、カメラボディ自体延いては撮像ユニットが装着された撮像装置の剛性を容易に増加させることができる。このとき、ネジ等の剛性向上に寄与する部材は、撮像ユニットが装着された状態において外部から目視することのできないものであることから、カメラボディ自体延いては撮像ユニットが装着された撮像装置の剛性を増加させても、外観品質が低下することを防止することができる。
【図面の簡単な説明】
【００２２】
【図１】本発明が適用されるカメラボディと撮像ユニットとの装着状態を示す説明図であって、カメラボディと撮像ユニットとからなる撮像装置を正面側でかつ斜め方向から見た外観図である。
【図２】本発明が適用されるカメラボディに図１に示す撮像ユニットとは別の撮像ユニットが装着された状態を示す説明図であって、カメラボディと撮像ユニットとからなる撮像装置を正面側でかつ斜め方向から見た外観図である。
【図３Ａ】図１に示す撮像ユニットを背面側（右斜め上）から見た外観図である。
【図３Ｂ】図１に示すカメラボディを背面側（左斜め上）から見た外観図である。
【図３Ｃ】図１に示すカメラボディを下面側（右斜め前）から見た外観図である。
【図４】図１に示すカメラボディに対する撮像ユニットの装着前の状態又は抜き取り後の状態を示す説明図であって、カメラボディと撮像ユニットとに向かって右斜め方向からこのカメラボディと撮像ユニットとを見た図である。
【図５Ａ】図４に示すカメラボディを正面側から見た図である。
【図５Ｂ】図５Ａに示すボディ用背壁面補強板金部材を取り除いてカメラボディを正面から見た図である。
【図５Ｃ】図４に示すカメラボディを斜め下方から見た外観図である。
【図６】図４に示す撮像ユニットの外観図であって、この撮像ユニットを背面側から見た外観図である。
【図７Ａ】図５Ａに示すボディ用背壁面補強板金部材の平面図であって、このボディ用背壁面補強板金部材の正面図である。
【図７Ｂ】図７Ａに示すボディ用背壁面補強板金部材の平面図であって、このボディ用背壁面補強板金部材の裏面図である。
【図７Ｃ】図７Ａ、図７Ｂに示すボディ用背壁面補強板金部材の斜視図である。
【図８】図６に示す撮像ユニットを左側面から見た斜視図である。
【図９】図６に示すボディ用上壁面補強板金部材を取り除いてその撮像ユニットを背面側から見た外観図である。
【図１０Ａ】図６に示すユニット用背壁面補強板金部材を取り除いてその撮像ユニットを背面側から見た外観図である。
【図１０Ｂ】図１０Ａに示す板バネとユニット用背壁面補強板金部材との位置関係を示す平面図である。
【図１１Ａ】図６に示すユニット用背壁面補強板金部材を正面から見た平面図である。
【図１１Ｂ】図１１Ａに示すユニット用背壁面補強板金部材の裏面図である。
【図１１Ｃ】図１１Ａに示すユニット用背壁面補強板金部材の斜視図である。
【図１２】図６に示すユニット用上壁面補強板金部材の斜視図である。
【図１３】図１に示す撮像ユニットとロック部材とロック解除操作部材との噛み合い関係を説明するための斜視図である。
【図１４】図１３に示すロック部材とロック解除操作部材と被ロック部材との噛み合い関係を示す部分拡大図である。
【図１５】図１４に示すロック部材の平面図である。
【図１６】図１５に示すロック部材の斜視図である。
【図１７】図１４に示すロック解除操作部材の平面図である。
【図１８】図１７に示すロック解除操作部材の斜視図である。
【図１９】図４、図５Ｃに示すカメラボディ側コネクタ部の詳細構造を示す断面図である。
【図２０】図１９に示すカメラボディ側コネクタ部を背壁部を下側にして直視した状態を示す断面図である。
【図２１】図８に示す撮像ユニット側コネクタ部の詳細構造を示す断面図である。
【図２２】図１９に示すカメラボディ側コネクタ部と図２１に示す撮像ユニット側コネクタ部との接続状態を示す断面図である。
【図２３】図１０Ａに示す板バネの外観形状を示す拡大斜視図である。
【図２４】図５Ａに示すボディ用背壁面補強板金部材と図６、図９に示すユニット用背壁面補強板金部材と図１０Ａ、図１０Ｂ、図２３に示す板バネとの相対位置関係を示す平面図である。
【図２５】図２４に示すユニット用背壁面補強板金部材とボディ用背壁面補強板金部材との係合関係を図２４に示す矢印Ａ方向から目視した状態の説明図である。
【図２６】図２５に示す係合爪とユニット用背壁面補強板金部材との係合関係を部分的に拡大して示す断面図である。
【図２７】図２４に示す矢印Ｂ−Ｂ線に沿う断面図である。
【図２８】図２５に示すユニット用背壁面補強板金部材とボディ用背壁面補強板金部材との係合関係を断面で詳細に示した図である。
【図２９】図２８に示すユニット用背壁面補強板金部材とボディ用背壁面補強板金部材との係合関係の部分拡大断面図である。
【図３０】図１、図２に示す撮像装置に内蔵される電装部品の一例を示す回路図である。
【図３１】図１、図２に示す撮像装置に内蔵される電装部品の他の例を示す回路図である。
【図３２】図４に示すカメラボディに撮像ユニットを装着する状態を説明するための図である。
【図３３】図１に示す撮像ユニットを図１に示すカメラボディに載せた状態を示す説明図であって、ボディ用背壁面補強板金部材の係合突起とユニット用背壁面補強板金部材のガイド穴との対応関係を示す説明図である。
【図３４】図３３に示す係合突起が図３３に示す構成壁部分に当接しかつ係合部材が係合板部に当接することにより撮像ユニット側コネクタ部とカメラボディ側コネクタ部との接続が阻止される状態を示す説明図である。
【図３５】撮像ユニットが装着されたカメラボディにおいて後カバー部材を取り外した様子を示す説明図である。
【図３６】図３５と同様のカメラボディを斜め下方から見た様子を示しつつその要所を拡大して示す説明図である。
【図３７】ロック状態のロック機構を示す説明図である。
【図３８】第２ロック解除機構によりロック機構のロック状態を解除する様子を示す図３６の拡大過所と同様の説明図である。
【図３９】第２ロック解除機構によりロック機構のロック状態を解除する様子を示す図３７と同様の説明図である。
【図４０】実施例２に係るカメラボディの上カバー部材を取り外した様子を模式的に示しつつその要所を拡大して示す説明図である。
【図４１】実施例３のロック機構の構成を説明するための図３７と同様の説明図である。
【図４２】実施例３のロック機構の構成を説明するために、上側（Ｙ方向負側）から見たカメラボディを、上カバー部材を省略して示す説明図である。
【図４３】カメラボディにおいて電池蓋を開いた様子を示す説明図である。
【図４４】開いた電池蓋から電池収納空間を見た様子を斜視図で示す説明図である。
【図４５】開いた電池蓋から電池収納空間を下側（Ｙ方向正側）から見た説明図である。
【図４６】実施例４のロック機構の構成を説明するための図３７と同様の説明図である。
【図４７】実施例４のロック機構の構成を説明するために、カメラボディのグリップ部の上部（Ｙ方向負側）を上カバー部材を省略して示しつつその要所を拡大して示す説明図である。
【図４８】ロック機構の説明のために前カバー部材の表面にグリップ部材が張り付けられている様子を示す説明図である。
【図４９】ロック機構の説明のために前カバー部材の表面からグリップ部材を剥し取った様子を示しつつその要所を拡大して示す説明図である。
【図５０】図７Ａに示すボディ用背壁面補強板金部材にガイド穴を形成した平面図である。
【図５１】図１１Ｂに示すユニット用背壁面補強板金部材に係合突起を形成した平面図である。
【図５２】カメラボディを背面側から目視した状態であって電子ビューファインダーのカメラボディへの装着前の状態を示す外観図である。
【図５３】カメラボディを背面側から目視した状態であって電子ビューファインダーのカメラボディへの装着状態を示す外観図である。
【図５４】カメラボディを正面側から目視した状態であって電子ビューファインダーのカメラボディへの装着前の状態を示す外観図である。
【図５５】カメラボディを正面から目視した状態であって電子ビューファインダーのカメラボディへの装着状態を示す外観図である。
【発明を実施するための形態】
【実施例１】
【００２３】
（カメラボディ１、撮像ユニット２の概略説明）
図１、図２、図３Ａ、図３Ｂ、図３Ｃは、本発明に係わる直方体形状の筐体を有する撮像ユニットをカメラボディに装着した状態を示している。図１、図２は、撮像ユニットがカメラボディに装着されている状態を正面側でかつ斜め方向から目視した状態を示し、図３Ａは、図１に示すカメラボディを背面側でかつ右斜め方向から目視した状態を示している。図３Ｂは、図１に示すカメラボディを背面側でかつ左斜め方向から目視した状態を示している。図３Ｃは、図１に示すカメラボディを下面側でかつ右斜め方向から目視した状態を示している。
【００２４】
その図１、図２、図３Ａ、図３Ｂ、図３Ｃにおいて、１はカメラボディ、２は撮像ユニットである。撮像ユニット２は直方体形状の筐体２Ａを有する。ここでは、撮像ユニット２は撮像光学系と撮像素子とを備えた交換レンズ鏡胴ユニットからなる。その図２には、図１に示すカメラボディ１に装着された撮像ユニット２とは異なる大きさの筐体２Ａを有する撮像ユニット２がカメラボディ１に装着されている状態が示されている。
【００２５】
その図２に示す撮像ユニット２の筐体２Ａの内部に配設される撮像素子の大きさは、図１に示す撮像ユニット２の筐体２Ａの内部に配設される撮像素子の大きさとは異なるものとされている。
【００２６】
その筐体２Ａは、その正面２ａにレンズ鏡胴３を有する。撮像ユニット２は、図４に示すように、カメラボディ１に対して着脱可能とされている。その図４には、図１に示すカメラボディから図１に示す撮像ユニット２を抜き取った状態が示されている。
【００２７】
レンズ鏡胴３は、図１、図２、図４に示すように、案内筒３ａと可動鏡筒３ｂとから構成される。案内筒３ａには可動鏡筒３ｂが光軸Ｏの延びる方向に進退可能に配設される。その可動鏡筒３ｂにはズームレンズ等のレンズ系が設けられる。このレンズ系を含む撮像光学系により、被写体からの入射光が撮像素子に導かれ、この被写体像が入射光を電気信号に変換する撮像素子に結像される。
【００２８】
図１のＺ方向はカメラボディ１に撮像ユニット２が装着された状態でのレンズ鏡胴３の撮像光学系（レンズ系）の光軸方向に並行な方向であり、実施例１では前後方向と呼ぶ。Ｚ方向の正の側は、カメラの正面側（前側）であり、Ｚ方向の負の側は、カメラの背面側（後側）である。
【００２９】
図１のＸ方向は、カメラボディ１に撮像ユニット２が装着された状態でのレンズ鏡胴３の撮像光学系（レンズ系）の光軸方向に垂直な方向であり、実施例１では左右方向と呼ぶ。Ｘ方向の正の側は右側であり、Ｘ方向の負の側は左側である。
【００３０】
図１のＹ方向は、カメラボディ１に撮像ユニット２が装着された状態でのレンズ鏡胴３の撮像光学系（レンズ系）の光軸方向に垂直な方向であり、実施例１では上下方向と呼ぶ。Ｙ方向の正の側は下側であり、Ｙ方向の負の側は上側である。
（カメラボディ１の詳細説明）
そのカメラボディ１は、図４、図５Ａ、図５Ｂに示すように、筐体２Ａの配設空間としての凹部１Ａを有する。その凹部１Ａは、樹脂製の背壁部１Ｂと側壁部１Ｃと上壁部１Ｄとの三つの壁部により構成される。その背壁部１Ｂと側壁部１Ｃとは互いに直交している。その上壁部１Ｄは両壁部１Ｂ、１Ｃに対して直交している。
【００３１】
背壁部１Ｂには、凹部１Ａに撮像ユニット２を装着してこの撮像ユニット２を正面から、すなわち光学系の光軸方向被写体側から見たときに、筐体２Ａの背面部２ｂ（図６参照）が対向する。側壁部１Ｃには、凹部１Ａに撮像ユニット２を装着してこの撮像ユニット２を正面から見たときに、図８に示す筐体２Ａの左側面２ｃが対向する。上壁部１Ｄには、凹部１Ａに撮像ユニット２を配設してこの撮像ユニット２を正面から見たときに、筐体２Ａの上面２ｄが対向する。
【００３２】
背壁部１Ｂと側壁部１Ｃと上壁部１Ｄとは一体に形成される。凹部１Ａは、その背壁部１Ｂの背壁面（ＸＹ平面）と側壁部１Ｃの側壁面（ＹＺ平面）と上壁部１Ｄの上壁面（ＺＸ平面）とによってその輪郭形状が規定される。以下では、この輪郭形状を規定する各壁面を、凹部１Ａを構成する構成壁面という。この凹部１Ａは、筐体２Ａが配設されたときに、その筐体２Ａの下面２ｅが位置する下方（Ｙ方向）と、筐体２Ａの右側面２ｆが位置する右側方（Ｘ方向）と、筐体２Ａの正面２ａが位置する前方（Ｚ方向）との三方向に向かって開放されている。
【００３３】
なお、Ｘ方向を側壁部１Ｃに対して撮像ユニット２が接近又は離脱する第１方向ともいい、また、Ｙ方向を第１方向に対して垂直な方向ともいう。
【００３４】
その背壁部１Ｂと側壁部１Ｃと上壁部１Ｄとの適宜箇所にカメラボディ１、撮像ユニット２を電気的に操作する操作部が設けられている。この実施例１では、例えば、その上壁部１Ｄに、図１〜図４に示すように、操作部としてのレリーズボタン５ｙ、ダイヤル５ｚが設けられている。また、上壁部１Ｄには、ポップアップ型のストロボ装置５ｘ、ホットシュー部５ｔが設けられている。さらに、背壁部１Ｂには、操作部としてＡＤＪレバー５ｐ、方向指示用スイッチ５ｑ、再生スイッチ５ｒ等が設けられている。その背壁部１Ｂには、図３Ａに示すように、電子ビューファインダー接続端子５ｓも設けられている。その電子ビューファインダー接続端子５ｓには、電子ビューファインダー装置（図示を略す）が接続される。
【００３５】
背壁部１Ｂには、図５Ａ、図７Ａ〜図７Ｃに示すように、背面壁としてのボディ用背壁面補強板金部材４が設けられている。図７Ａ〜図７Ｃは、背壁部１Ｂから取り外されたボディ用背壁面補強板金部材４を示している。このボディ用背壁面補強板金部材４には、撮像ユニット２をカメラボディ１にセットした時に、その背面部２ｂが対面される。
【００３６】
そのボディ用背壁面補強板金部材４は、概略長方形状の輪郭を呈している。このボディ用背壁面補強板金部材４は、例えば、プレスにより成形される。このボディ用背壁面補強板金部材４は、図７Ａ〜図７Ｃに拡大して示すように、一対の挿入開口４ａ、４ａと、後述する付勢部としても機能する一対の係合爪４ｂ、４ｂと、ネジ穴４ｃとを有する。
【００３７】
なお、付勢部は第１付勢部と第２付勢部とを含み、一対の係合爪４ｂ、４ｂのいずれか一方を第１係合爪といい、いずれか他方を第２係合爪という。
【００３８】
一対の挿入開口４ａ、４ａは、縦方向（上下方向）に間隔を開けて形成されると共に横方向（左右方向）に互いに並行に延びる構成とされている。その一対の挿入開口４ａ、４ａの右方終端は、矩形状開口４ｄ、４ｄとなっている。この矩形状開口４ｄ、４ｄには、後述する矩形状ストッパ突起が嵌合される。
【００３９】
一対の係合爪４ｂ、４ｂは、側壁部１Ｃから遠く離れた位置でかつ縦方向（上下方向）に間隔を開けて配置されている。この一対の係合爪４ｂ、４ｂは、図７Ｃに拡大して示すように、切り起部４ｅと屈曲板部４ｆとによって構成されている。ボディ用背壁面補強板金部材４には、その一対の係合爪４ｂ、４ｂの形成箇所に挿入開口４ｓ、４ｓが形成されている。
【００４０】
そのボディ用背壁面補強板金部材４では、挿入開口４ａと挿入開口４ａとが間隔を開けて形成されている縦方向（上下方向）の概略中間位置に係合突起４ｇが形成されている。この係合突起４ｇは、切り起部４ｉと屈曲部４ｈとから構成されている。この係合突起４ｇは、後述するコネクタ同士の嵌合を適正な姿勢角度で行なわせる機能を果たす。この係合突起４ｇは、側壁部１Ｃに対して撮像ユニット２が接近又は離脱する第１方向に対して垂直方向（Ｙ方向）から見てカメラボディ側コネクタ部１２の略中央に位置されているが、その詳細な構造については後述する。
【００４１】
図５Ｂには、その背壁部１Ｂからボディ用背壁面補強板金部材４を取り外した状態が示されている。背壁部１Ｂには、凹処が形成され、この凹処に樹脂板３０が配設されている。この樹脂板３０には、一対の挿入開口４ａ、４ａに対向する箇所に一対の隆起部３０ｓが形成され、一対の挿入開口４ｓ、４ｓに対向する箇所に一対の隆起部３０ｓ’が形成されている。その一対の隆起部３０ｓには、左右方向に延びる一対の樹脂製のガイド突起部４ｊ、４ｊと一対の樹脂製の摺接リブ４ｋ、４ｋとが形成されている。その一対の樹脂製のガイド突起部４ｊ、４ｊの右方終端には、矩形状ストッパ突起４ｍが形成されている。その一対の隆起部３０ｓ’には、それぞれ摺接リブ４ｎ、４ｎが形成されている。その一対の隆起部３０ｓ、３０ｓは、側壁部１Ｃと一対の隆起部３０ｓ’、３０ｓ’との間に位置している。
【００４２】
なお、一対の樹脂製のガイド突起部４ｊ、４ｊは、カメラボディ側ガイド機構を構成し、一対の樹脂製のガイド突起部４ｊ、４ｊのいずれか一方を第１ガイド突起といい、一対の樹脂製のガイド突起部４ｊ、４ｊのいずれか他方を第２ガイド突起という。
【００４３】
そのカメラボディ側ガイド機構は、後述する撮像ユニット側ガイド機構と協働して、撮像ユニット側コネクタ部１１に対するカメラボディ側コネクタ部１２の位置関係を規制しかつ側壁部１Ｃに対して接近又は離脱する方向に撮像ユニット２を案内するガイド機構として機能する。
【００４４】
その一対の樹脂製の摺接リブ４ｋ、４ｋと一対の樹脂製の摺接リブ４ｎ、４ｎとは、左右方向に間隔を開けて配置されている。その一対の摺接リブ４ｋ、４ｋは、一対のガイド突起部４ｊ、４ｊにそれぞれ近接して平行に設けられている。その一対のガイド突起部４ｊ、４ｊは、一対の摺接リブ４ｋ、４ｋが配設されている側にガイド面４ｐ、４ｐが形成されている。このガイド面４ｐ、４ｐは、ＸＹ平面に平行な面内に存在する。切り起部４ｉは、Ｚ方向の正の向きに延びている。
【００４５】
そのガイド面４ｐ、４ｐには、図６に示すユニット用背壁面補強板金部材１０の辺縁１０ａ、１０ａが摺接される。その矩形状ストッパ突起４ｍには、撮像ユニット２を抜き取る際にユニット用背壁面補強板金部材１０の切り欠き壁１０ｂ、１０ｂが当接される。そのユニット用背壁面補強板金部材１０の詳細構造については後述する。その背壁部１Ｂには、図５Ｂに示すように適宜箇所にネジ穴４ｃ’がボディ用背壁面補強板金部材４のネジ穴４ｃに対応する位置に形成されている。
【００４６】
ボディ用背壁面補強板金部材４には、図７Ａ〜図７Ｃに示すように、その左側と右側の部分であってその縦方向中間部に背壁部１Ｂに向かって隆起する隆起状平板部４ｑ、４ｒが形成されている。背壁部１Ｂには、図５Ｂに示すように、その隆起状平板部４ｑ、４ｒに対応する形状の凹処４ｑ’、４ｒ’が形成されている。ボディ用背壁面補強板金部材４は、その隆起状平板部４ｑ、４ｒにより剛性が付与されている。
【００４７】
ボディ用背壁面補強板金部材４と樹脂板３０とは、その隆起状平板部４ｑ、４ｒを一対の凹処４ｑ’、４ｒ’に対応させ、一対の樹脂製のガイド突起部４ｊ、４ｊと一対の樹脂製の摺接リブ４ｋ、４ｋとを一対の挿入開口４ａ、４ａに挿入し、一対の樹脂製の摺接リブ４ｎ、４ｎを挿入開口４ｓ、４ｓに挿入した状態で、図４、図５Ａ、図５Ｃに示すように、止めネジ４ｆ’により背壁部１Ｂに固定される。
【００４８】
側壁部１Ｃには、側面壁としてのボディ用側壁面補強板金部材６が図４、図５Ｃに示すように止めネジ６ｆにより固定されている。このボディ用側壁面補強板金部材６は筐体２Ａの凹部１Ａへのセット時にその筐体２Ａの左側面２ｃに対面する。このボディ用側壁面補強板金部材６は、背壁部１Ｂが下側に位置しかつ上壁部１Ｄが右側に位置ししかも前方が上側となるようにして、このボディ用側壁面補強板金部材６を直視したときに上方に向かって起立されているように見える。
【００４９】
上壁部１Ｄには、上面壁としてのボディ用上壁面補強板金部材５が図５Ｃに示すように止めネジ５ｆにより固定されている。このボディ用上壁面補強板金部材５は、筐体２Ａの凹部１Ａへのセット時にその筐体２Ａの上面２ｄに対面する。ボディ用上壁面補強板金部材５は、上壁部１Ｄが上側に位置するようにして側壁部１Ｃを側方から直視したとき前方に向かって背壁部１Ｂから起立しているように見える。
【００５０】
カメラボディ１は、図５Ａ〜図５Ｃに示すように、その側壁部１Ｃに連接するグリップ部１ｃを有する。このグリップ部１ｃは、背面側から正面側に向かうＺ方向を前方と定義して前方、すなわち、光学系の光軸方向の被写体に向かう向きに膨出する膨出部１ｃ’と、膨出部１ｃ’と凹部１Ａとの間に存在する指掛け凹処１ｃ”とからなっている。その指掛け凹処１ｃ”は膨出部１ｃ’に隣接し、その指掛け凹処１ｃ”には、グリップ部１ｃを右手で握持したとき、中指から小指までを当てることが可能である。
【００５１】
グリップ部１ｃの内部には収納室が形成されている。この収納室には、電池、撮像装置に要求される各種の電装部品が内蔵されている。すなわち、この収納室には、電池、操作部の操作により撮像ユニット２を制御するのに用いる回路、撮像ユニット２により撮像された画像を処理する処理回路、撮像ユニット２により撮像されかつ処理回路により処理された画像を記録保存する記録媒体、電源回路、ストロボ制御回路、これらを構成する回路部品を搭載する回路基板等が収納される。
【００５２】
その背壁部１Ｂの背面には、図３Ａ、図３Ｂに示すように、撮像ユニット２により撮像された画像データに基づき画像を表示する表示部としての表示面１ｂが設けられている。表示面１ｂには記録媒体に記録された画像が再生表示される。この背壁部１Ｂの大きさは表示面１ｂの大きさによって概略規定される。
【００５３】
カメラボディ１では、外装部材としての前カバー部材１Ｓと、上カバー部材１Ｕと、後カバー部材１Ｔと、を有する。前カバー部材１Ｓは、カメラボディ１の前面側（Ｚ方向正側）を覆うものであり、凹部１Ａの左側方箇所すなわち側壁部１Ｃに連接するグリップ部１ｃの前面および左側面におけるＺ方向で見た前面側から中間位置まで（図３Ｂ参照）の表面形状を形作っている。実施例１では、前カバー部材１Ｓの表面にグリップ部材１Ｓ’が張り付けられており（図１等参照）、図３Ｂではグリップ部材１Ｓ’が設けられていない状態を示している。このグリップ部材１Ｓ’は、側壁部１Ｃ（膨出部１ｃ’および指掛け凹処１ｃ”）を右手で握持した際の手触りの質感の向上、滑り止め等を意図した弾性部材で形成される。グリップ部材１Ｓ’は、実施例１では、接着剤または両面テープにより張り付けられており、比較的容易に剥がし取ることが可能とされている。
【００５４】
上カバー部材１Ｕは、カメラボディ１の上面側（Ｙ方向負側）を覆うものであり、上壁部１Ｄの表面形状を形作っている（図１、図３Ｂ参照）。この上カバー部材１Ｕには、上述したレリーズボタン５ｙ、ダイヤル５ｚ、ストロボ装置５ｘ（その開口部）、ホットシュー部５ｔ等、が設けられている。
【００５５】
後カバー部材１Ｔは、カメラボディ１の後面側（Ｚ方向負側）を覆うものであり、背壁部１Ｂの表面形状すなわち背面における表示面１ｂを除くすべての領域と、右側面における凹部１Ａに至るまでの領域と、左側面におけるＺ方向で見た後面側から中間位置までの領域と、の表面形状を形作っている（図１、図３Ｂ参照）。この後カバー部材１Ｔは、凹部１Ａに装着された撮像ユニット２に干渉しない構成とされている。後カバー部材１Ｔには、上述した方向指示用スイッチ５ｑ、再生スイッチ５ｒ等が設けられている。
【００５６】
この各カバー部材に設けられた各操作部は、各カバー部材がカメラボディ１に取り付けられると、為された操作を実行させるべく対応するカバー部材の裏面側（内側）に設けられた回路基板等に接続または適宜当接される。
【００５７】
これらの３つのカバー部材は、カメラボディ１に取り付けられた状態で互いに隣接して一体的な外形形状を形作る。実施例１では、上述したＡＤＪレバー５ｐは、上カバー部材１Ｕと後カバー部材１Ｔとの境目に設けられており（図３Ａ、図３Ｂ参照）、後述するロック解除ボタン２６ｄは上カバー部材１Ｕと前カバー部材１Ｓとの境目に設けられている（図１、図２参照）。
【００５８】
実施例１では、上カバー部材１Ｕは、ボディ用上壁面補強板金部材５を上壁部１Ｄに固定すべく、カメラボディ１の前面側に設けられた凹部１Ａの構成壁面の一部である上壁部１Ｄの上壁面に螺合（配置）される２つの止めネジ５ｆにより（図５Ｃ参照）、当該カメラボディ１に取り付けられている。また、前カバー部材１Ｓは、ボディ用側壁面補強板金部材６を側壁部１Ｃに固定すべく、カメラボディ１の前面側に設けられた凹部１Ａの構成壁面の一部である側壁部１Ｃの側壁面に螺合（配置）される３つの止めネジ６ｆにより（図５Ｃ参照）、当該カメラボディ１に取り付けられている。このため、カメラボディ１では、通常の使用状態（撮像ユニット２が装着された状態）において、上カバー部材１Ｕの取り付けのための止めネジ５ｆ、および前カバー部材１Ｓの取り付けのための止めネジ６ｆが視認されることはなく、高い外観品質を有している。なお、実施例１では、ボディ用上壁面補強板金部材５の固定のための止めネジ５ｆと、ボディ用側壁面補強板金部材６の固定のための止めネジ６ｆとを利用しているが、凹部１Ａが設けられていることを利用すべく当該凹部１Ａの構成壁面に螺合（配置）される、すなわち実施例１の構成においては凹部１Ａの構成壁面である上壁部１Ｄの上壁面または側壁部１Ｃの側壁面または背壁部１Ｂの背壁面から螺合する（配置される）止めネジにより当該カメラボディ１に固定するものであればよく、実施例１に限定されるものではない。この凹部１Ａが設けられていることを利用する（以下では単に凹部１Ａを利用するという）とは、撮像ユニット２が装着されることにより、通常の使用状態では外方からの目視ができなくなる箇所を利用することを言う。
【００５９】
また、実施例１では、後カバー部材１Ｔは、外側から７つの止めネジ１ｐが螺合されることにより（図３Ｂ、図３Ｃ参照）、当該カメラボディ１に取り付けられている。この後カバー部材１Ｔは、上述したように、凹部１Ａに装着された撮像ユニット２に干渉しない構成とされていることから、後述するように撮像ユニット２を凹部１Ａに装着（セット）した状態であっても、７つの止めネジ１ｐを外すことでカメラボディ１から取り外すことが可能とされている。なお、実施例１では、７つの止めネジ１ｐのうちの１つ（図３Ｂにおいて右下（左側面（Ｘ方向負側の面）の下方）に位置するもの）は、グリップ部材１Ｓ’の裏に位置されているが、このグリップ部材１Ｓ’は、上述したように比較的容易に剥がし取ることが可能とされていることから、当該止めネジ１ｐを外すことが阻害されることはない。
【００６０】
このように、カメラボディ１では、上カバー部材１Ｕと前カバー部材１Ｓと後カバー部材１Ｔとが取り囲むように取り付けられているので、カメラ（撮像装置）全体としての剛性が向上されている。また、カメラボディ１では、後カバー部材１Ｔの固定のための７つの止めネジ１ｐに加えて、凹部１Ａを利用した上カバー部材１Ｕの固定のための２つの止めネジ５ｆと、凹部１Ａを利用した前カバー部材１Ｓの固定のための３つの止めネジ６ｆと、が設けられていることから、カメラ（撮像装置）全体としての剛性が向上されている。
【００６１】
撮像ユニット２には、図８に示すように、ボディ用側壁面補強板金部材６に対面する左側面２ｃに上下方向に延びる撮像ユニット側コネクタ部１１が設けられている。この撮像ユニット側コネクタ部１１は、電気回路が配線されたコネクタ基板（プラグ基盤セット）に固定されている。このプラグ基盤セットは、撮像ユニット２の内部にフローティング構造で配置される。撮像ユニット側コネクタ部１１は、左側面２ｃから外方に向かって突出している。
【００６２】
このフローティング構造は、カメラボディ１に撮像ユニット２を装着して撮像ユニット側コネクタ部１１とカメラボディ側コネクタ部１２との電気的接合を図る際に、撮像ユニット側コネクタ部１１とカメラボディ側コネクタ部１２との取り付け誤差を吸収緩和して、その撮像ユニット側コネクタ部１１とカメラボディ側コネクタ部１２とを嵌合させる際に加わる応力を緩和する機能を果たす。
【００６３】
カメラボディ１には、図４に示すようにそのボディ用側壁面補強板金部材６に隣接して上下方向に延びるカメラボディ側コネクタ部１２が設けられている。このカメラボディ側コネクタ部１２は、その上下方向両端部に位置決め突起１２ａ、１２ａを有する。撮像ユニット側コネクタ部１１は、その上下方向両端部に位置決め穴（後述する）を有する。撮像ユニット側コネクタ部１１、カメラボディ側コネクタ部１２には、例えば、市販のベイコネクタが用いられる。
【００６４】
そのカメラボディ側コネクタ部１２は、背壁部１Ｂが下側に位置しかつ上壁部１Ｄが右側に位置ししかも前方が上側に位置するようにしてボディ用側壁面補強板金部材６を正視したときに、背壁部１Ｂから立ち上がって見える側壁部１Ｃの立ち上がり基部に、不用意に触られないようにして配置されている。そのカメラボディ側コネクタ部１２は、図１９、図２０に示すコネクタ端子１２ｃを被覆する被覆部材１２ｂを有する。この被覆部材１２ｂの作用は後述する。
【００６５】
カメラボディ側コネクタ部１２は、凹部１Ａに臨んでいる。このカメラボディ側コネクタ部１２は、撮像ユニット２をカメラボディ１に装着セットする際の撮像ユニット２の右から左に向かう方向への移動に伴って撮像ユニット側コネクタ部１１に嵌合されて、カメラボディ１と撮像ユニット２とが接続される。なお、そのカメラボディ１への撮像ユニット２のセットの詳細、撮像ユニット側コネクタ部１１、カメラボディ側コネクタ部１２の詳細構造については後述する。
【００６６】
側壁部１Ｃには、図４、図５Ａ〜図５Ｃに示すように、一対の補助嵌合突起１４、１４が上下方向に間隔を開けて形成されている。この補助嵌合突起１４は、背壁部１Ｂが下側に位置しかつ上壁部１Ｄが右側に位置ししかも前方が上側となるようにして側壁部１Ｃを直視したときに、カメラボディ側コネクタ部１２よりも上側に位置している。この一対の補助嵌合突起１４、１４は、不用意な捩れ力が撮像ユニット２に加わった際に後述する一対の補助嵌合穴と協働して、カメラボディ側コネクタ部１２のコネクタ端子１２ｃ（図１９等参照）、撮像ユニット側コネクタ部１１のコネクタ端子（後述する）が破壊されるのを防止する機能を有する。
（撮像ユニット２の外観形状の説明）
撮像ユニット２には、ボディ用側壁面補強板金部材６に対面される左側面２ｃに、図８に示すように、一対の補助嵌合穴２２が形成されている。この一対の補助嵌合穴２２には、カメラボディ１への撮像ユニット２の装着セット時に一対の補助嵌合突起１４、１４が嵌合される。その一対の補助嵌合穴２２の底部には、スポンジ、ゴム等の衝撃吸収部材２２ａが配設されている。なお、一対の補助嵌合穴２２を側壁部１Ｃに形成し、一対の補助嵌合突起１４、１４を筐体２Ａの左側面２ｃに形成する構成を採用しても良い。
【００６７】
筐体２Ａの背面部２ｂには、位置決め隆起部２ｇ、２ｇが図６、図９、図１０Ａに示すように、左側面２ｃの側に形成されている。また、筐体２Ａの背面部２ｂには、図１０Ａに示すように、矩形状凹処２ｈ、一対の円柱部２ｉが形成されていると共に、適宜箇所にネジ穴２ｊが形成されている。
【００６８】
その筐体２Ａの右側面２ｆの側には、付勢部の一部を構成する付勢バネとしての傾斜弾性板部を有する板バネ２Ｋが配設されている。この板バネ２Ｋには、ネジ穴２ｍ、２ｍが形成されている。その板バネ２Ｋの詳細構造については後述する。
【００６９】
筐体２Ａの背面部２ｂには、ユニット用背壁面補強板金部材１０が設けられる。このユニット用背壁面補強板金部材１０は、図１１Ａ〜図１１Ｃに示すように概略矩形状とされている。そのユニット用背壁面補強板金部材１０には、その位置決め隆起部２ｇ、２ｇに対応して位置決め切り欠き１０ｃ、１０ｃが形成されている。
【００７０】
ユニット用背壁面補強板金部材１０は、矩形状凹処２ｈに対応する形状の平板状隆起部１０ｄを有する。その平板状隆起部１０ｄには、一対の円柱部２ｉが嵌合する嵌合穴１０ｅが形成されている。そのユニット用背壁面補強板金部材１０の周辺部には、ネジ穴２ｊに対応する箇所にネジ穴１０ｆが形成されている。そのユニット用背壁面補強板金部材１０は、止めネジ１０ｇにより背面部２ｂに固定される（図６等参照）。板バネ２Ｋは、そのユニット用背壁面補強板金部材１０を止めネジ１０ｇにより筐体２Ａの背面部２ｂに固定する際に固定される。その板バネ２Ｋが筐体２Ａのユニット用背壁面補強板金部材１０と一体に背面部２ｂに固定されている状態が図１０Ｂに示されている。
【００７１】
ユニット用背壁面補強板金部材１０には、筐体２Ａにユニット用背壁面補強板金部材１０を取り付けた状態で、このユニット用背壁面補強板金部材１０を背面側に見たときに右側となる部分に左右方向に延びるガイド穴１０ｈが形成されている。また、ユニット用背壁面補強板金部材１０には、筐体２Ａにユニット用背壁面補強板金部材１０を取り付けた状態で、このユニット用背壁面補強板金部材１０を背面側に見たときに左側となる部分でかつ辺縁１０ａ、１０ａ（上下方向で見たユニット用背壁面補強板金部材１０の端縁部）に付勢部の一部としても機能する係合板部１０ｎ、１０ｎが形成されている。
【００７２】
その背面部２ｂとユニット用背壁面補強板金部材１０との間には、樹脂板３０の左右方向に延びるガイド突起部４ｊの進入を許容する一対のガイド突起進入許容穴１０ｐ、矩形状ストッパ突起４ｍ及び係合爪４ｂの進入を許容する係合爪進入許容穴１０ｑ、係合爪４ｂの切り起部４ｅを案内する係合爪切り起部用案内穴１０ｒが図６、図９に示すように形成されている。その係合板部１０ｎ、１０ｎには、その係合爪切り起部用案内穴１０ｒの終端に臨むようにして、その辺縁１０ｎ’、１０ｎ’に半円形状凸部１０ｓ、１０ｓが図１１Ａ〜図１１Ｃに示すように形成されている。その半円形状凸部１０ｓ、１０ｓは、係合爪切り起部用案内穴１０ｒの終端に位置し、板バネ２Ｋが存在する方向に向かって突出されている。この半円形状凸部１０ｓ、１０ｓの作用については、板バネ２Ｋの作用と共に説明する。
【００７３】
なお、一対のガイド突起進入許容穴１０ｐは、撮像ユニット側ガイド機構を構成し、その一対のガイド突起進入許容穴１０ｐのいずれか一方を撮像ユニット２の背面２ｂに設けられて第１方向に対応する方向に延伸する第１ガイド溝といい、一対のガイド突起進入許容穴１０ｐのいずれか他方を撮像ユニット２の背面２ｂに設けられて第１方向に対応する方向に延伸する第２ガイド溝という。
【００７４】
一対の係合爪４ｂは、カメラボディ側コネクタ部１２から遠い側に設けられているので、仮に係合突起４ｇがないものとすると、係合爪４ｂの切り起部４ｅが係合爪切り起部用案内穴１０ｒに案内されずに一対の係合爪４ｂの屈曲板部４ｆが係合板部１０ｎに当接して、撮像ユニット２の背面部２ｂが背壁部１Ｂの背面壁に対して斜めに傾いた状態であっても、カメラボディ側コネクタ部１２と撮像ユニット側コネクタ部１１とが嵌合されて接続される可能性がある。
【００７５】
この撮像ユニット２の背面部２ｂが背壁部１Ｂの背面壁に対して斜めに傾いた状態でカメラボディ側コネクタ部１２と撮像ユニット側コネクタ部１１とが無理やりに嵌合されると、カメラボディ側コネクタ部１２と撮像ユニット側コネクタ部１１とが破壊されるおそれがある。
【００７６】
ガイド穴１０ｈは、そのカメラボディ側コネクタ部１２と撮像ユニット側コネクタ部１１との破壊を防止する役割を有する。そのガイド穴１０ｈは、図６、図９、図１１Ａ〜図１１Ｃに示すように、係合突起４ｇの屈曲部４ｈの進入を許容する係合突起進入許容穴（挿入開口部）１０ｉと切り起部４ｉを左右方向に案内する係合突起切り起部用案内穴１０ｊとから構成されている。
【００７７】
その係合突起切り起部用案内穴１０ｊの幅は屈曲部４ｈの幅よりも小さく設計され、その係合突起切り起部用案内穴１０ｊ、係合突起進入許容穴１０ｉを構成する構成壁部分（角度規制当接部）１０ｈ’は、屈曲部４ｈが構成壁部分１０ｈ’に当接することにより、カメラボディ側コネクタ部１２と撮像ユニット側コネクタ部１１との接続が阻止される構造となっている。
【００７８】
すなわち、図５Ａ、図５Ｃ、図７Ａ〜図７Ｃに示す一対の係合爪４ｂ、４ｂの右方端縁４ｂ’、４ｂ’が、図６、図９、図１１Ａ〜図１１Ｃに示す傾斜壁１０ｑｓを構成する構成壁部分に当接するときには、必ず図４、図５Ａ、図５Ｃ、図７Ａ〜図７Ｃに示す係合突起４ｇの端縁４ｇｓが傾斜壁１０ｉｊを構成する構成壁部分１０ｈ’に当接するように係合突起進入許容穴１０ｉが形成されている。
【００７９】
これにより、係合爪４ｂの屈曲板部４ｆが係合板部１０ｎに外側から当接して乗り上げているときには、係合爪４ｇの屈曲部４ｈが構成壁部分１０ｈ’に外側から当接して乗り上げることになり、背壁部１Ｂの背面壁に対して撮像ユニット２が平行に浮いた状態となり、補助嵌合突起１４と補助嵌合穴２２との位置関係がずれるので、カメラボディ側コネクタ部１２と撮像ユニット側コネクタ部１１との接続が阻止される。なお、屈曲板部４ｆが係合板部１０ｎに対して撮像ユニット２の内側に配置される場合には、両コネクタ部１１、１２は平行状態で接続される。
【００８０】
筐体２Ａの上面２ｄには、図４、図６、図８、図１２に示す撮像ユニット用上壁面補強板金部材２０が配設される。その撮像ユニット用上壁面補強板金部材２０は、図１２に示すように、ネジ穴２０ａを適宜箇所に有する。この撮像ユニット用上壁面補強板金部材２０は、筐体２Ａの左側面２ｃよりも外方に向かって延長された延長板部２０ｂを有する。
【００８１】
その筐体２Ａの上面２ｄには、図９に示すように、撮像ユニット用上壁面補強板金部材２０の配設箇所２ｔが撮像ユニット用上壁面補強板金部材２０の周辺を包囲する包囲壁２ｘにより形成されている。その配設箇所２ｔには、撮像ユニット用上壁面補強板金部材２０のネジ穴２０ａに対応する箇所にネジ穴２ｙが形成されている。撮像ユニット用上壁面補強板金部材２０は、その配設箇所２ｔに配置されて、図４、図６、図８に示すように、止めネジ２０ｚにより上面２ｄに固定される。
【００８２】
これにより、延長板部２０ｂは、撮像ユニット側コネクタ部１１の上面に沿って延在された状態となる。延長板部２０ｂには、図１２に示すように、切り欠き部２０ｃと被ロック部材としての被ロック爪２０ｄとが形成されている。その切り欠き部２０ｃには、後述するロック部材としてのロック爪が進入する。その被ロック爪２０ｄは、後述するロック部材の切り欠き部に進入される。その被ロック爪２０ｄは、傾斜壁２０ｅを有する。撮像ユニット２は、このロック部材と被ロック部材との係合によりカメラボディ１に固定される。
【００８３】
撮像ユニット２がカメラボディ１に固定された状態では、図１、図２に示すように、撮像ユニット用上壁面補強板金部材２０はその包囲壁２ｘにより包囲されているので、正面から撮像ユニット２を見ても視認できない状態となっている。これにより、撮像装置としての外観上の見栄えの向上、撮像ユニット２の上面２ｄとカメラボディ１の上壁部１Ｄとの間への塵埃の進入等の防止が図られている。
（ロック機構、ロック解除機構の説明）
カメラボディ１には、図１３、図１４に示すロック機構２４が設けられている。このロック機構２４は、側壁部１Ｃと上壁部１Ｄとの交差部分（角部）に位置している（図５（Ｃ）参照）。このロック機構２４は、撮像ユニット２をロックする機能を有する。このロック機構２４は、図５Ｃに示すように、凹部１Ａに筐体２Ａを配設した状態で筐体２Ａを斜め方向から見たときにこの筐体２Ａに対して左上隅近傍に位置されている。
【００８４】
そのロック機構２４は、図１３、図１４に示すように、ロック部材としてのロック板２５（図１５、図１６参照）と、支軸２７と、ストッパ２７ａと、ストッパ２７ｂとから概略構成されている。ストッパ２７ａ、ストッパ２７ｂおよび支軸２７は、カメラボディ１に固定されている。そのロック板２５は、撮像ユニット２に設けられた被ロック部材としての被ロック爪２０ｄと協働して撮像ユニット２をロックする役割を果たす。
【００８５】
このロック機構２４による撮像ユニット２のロック状態の解除のために、第１ロック解除機構２４ａと第２ロック解除機構２４ｂとが設けられている。第１ロック解除機構２４ａは、後述する嵌合突起２６ｂを介してロック板２５と係合されたロック解除操作部材（ロック解除板）２６（図１７、図１８参照）と、支軸２７と、ストッパ２７ａと、ストッパ２７ｂとから概略構成されている。第２ロック解除機構２４ｂは、ロック板２５と、そこに形成された強制ロック解除用突起部２５ｅと、支軸２７と、ストッパ２７ａと、ストッパ２７ｂとから概略構成されている。
【００８６】
ロック解除操作部材２６は、通常の使用状態において、ロック板２５による撮像ユニット２のカメラボディ１へのロック状態を解除するための操作部としての役割を果たす。このロック解除操作部材２６は、実施例１では、使用者が直に触れて操作する箇所であることから、樹脂材料で形成されている。また、ロック板２５は、実施例１では、後述するように、撮像ユニット２の撮像ユニット用上壁面補強板金部材２０に設けられた被ロック爪２０ｄと係合するものであり、強度を確保する必要があることから、板金部材で形成されている。
【００８７】
カメラボディ１を正面から見たとき、従来の一眼レフレックスカメラの交換鏡胴ユニットの取り外しボタンの位置と比較して同じような位置にロック解除操作部材２６が設けられているので（図１参照）、従来の交換レンズ鏡胴式の一眼レフレックスカメラに慣れている人が使用した場合でも、撮像ユニット２の取り外し操作を行い易く、誤操作が起きにくい。よって、誤操作によるリスクの軽減を図りつつ撮像ユニットの取り外しの容易なカメラボディ１を提供できる。
【００８８】
ロック板２５は、図１５、図１６に示すように、軸穴２５ａと、切り欠き部２５ｂと、ロック爪２５ｃと、嵌合凹所２５ｄと、強制ロック解除用突起部２５ｅと、を有する。軸穴２５ａには、支軸２７（図１３、図１４参照）が挿通される。このロック板２５は、支軸２７回りに回動自在とされている。そのロック爪２５ｃの爪先２５ｃ”は、カメラボディ１の背面側から正面側に向かう方向を前方と定義して、前方に向けられている。なお、被ロック爪２０ｄの爪先２０ｄ’（図１４参照）は、撮像ユニット２が凹部１Ａに配置された状態で背壁部１Ｂに臨む方向に向いている。すなわち、被ロック爪２０ｄの爪先２０ｄ’は、カメラボディ１の正面側から背面側に向かう方向を後方と定義して、後方に向けられている。
【００８９】
そのロック爪２５ｃには、傾斜壁２５ｃ’が形成されている。この傾斜壁２５ｃ’は、カメラボディ１に対して撮像ユニット２を右から左へ向けて移動させて撮像ユニット２をカメラボディ１に装着セットする際に、撮像ユニット２に設けられた傾斜壁２０ｅと係合して押圧されることにより、ロック板２５に対して支軸２７を支点にして後方（Ｚ方向負側）に回動させる分力を生じさせる。
【００９０】
嵌合凹所２５ｄは、後述するロック解除操作部材２６の嵌合突起２６ｂの嵌合のための切り欠きであり、その嵌合によりロック板２５とロック解除操作部材２６とを連結するものである。
【００９１】
強制ロック解除用突起部２５ｅは、後方側（Ｚ方向負側）から引っ張る（後方側に付勢する）ことにより、支軸２７を支点にしてロック板２５を後方（Ｚ方向負側）に回動（後述する解除操作方向への回動）させることを可能とするものである。この強制ロック解除用突起部２５ｅは、実施例１では、後カバー部材１Ｔ（図１等参照）を取り外した際（図３５参照）、露出されるとともに外方からの引っ張り操作（後述する解除操作方向への回動）を可能とする配置関係とされている（図３６、図３８参照）。この実施例１では、上記した配置関係を満たすために、強制ロック解除用突起部２５ｅは、側壁部１Ｃにおいて、ロック機構２４がロック状態であるときにＡＤＪレバー５ｐの下方に位置するように設けられている（図３６、図３８参照）。このため、実施例１では、強制ロック解除用突起部２５ｅは、ロック爪２５ｃと嵌合凹所２５ｄとの中間位置であって、軸穴２５ａ側へと向かうように突起されている。
【００９２】
ロック解除操作部材２６は、図１７、図１８に示すように、軸穴２６ａと、嵌合突起２６ｂと、係止突起２６ｃと、ロック解除ボタン２６ｄとを有する。軸穴２６ａには、ロック板２５を回動可能に支持する支軸２７が挿通される。このロック解除操作部材２６は、ロック板２５と同様に、支軸２７回りに回動自在とされている。
【００９３】
嵌合突起２６ｂは、ロック板２５の嵌合凹所２５ｄに嵌合されることにより、ロック板２５とロック解除操作部材２６とを連結する役割を果たす。このため、ロック板２５とロック解除操作部材２６とは、嵌合凹所２５ｄと嵌合突起２６ｂとの嵌合状態において、一体的に支軸２７回りに回動する。
【００９４】
係止突起２６ｃには、ロック用スプリング２８の一端部２８ａが係止される。ロック用スプリング２８の他端部２８ｂは、側壁部１Ｃの内部の適宜箇所に設けられた係止突起２８ｃ（図４０参照）に係止される。ロック用スプリング２８は、ロック解除操作部材２６すなわちロック板２５を、支軸２７を中心にして前方（図１４において矢印Ｆ３方向）に向けて回動付勢する役割を果たす。
【００９５】
ロック解除ボタン２６ｄは、図１、図２に示すように、上カバー部材１Ｕと前カバー部材１Ｓとの境目から外方に露出されて設けられており、上壁部１Ｄが存在する側を上にしたとき、指掛け凹処１ｃ”よりも上側に位置している。すなわち、指掛け凹処１ｃ”は、ロック解除操作部材２６の下側に位置している。そのロック解除ボタン２６ｄは、グリップ部１ｃから外方に向かって突出する指当て部２６ｅを有する。
【００９６】
グリップ部１ｃの上方は、通常、撮影の際にグリップ部を把持するための邪魔にならない位置であり、不用意に操作し難い位置であるので、より一層誤操作のリスクを回避しつつ撮像ユニットの取り外しの容易なカメラボディを提供できる。更に、グリップ凹部よりも上方の位置でかつグリップ凸部を握持する際に指が当たりにくい位置に、ロック解除操作部材２６を設けたので、誤操作の懸念を更に低減できる。
【００９７】
実施例１では、そのロック解除ボタン２６ｄは、グリップ部１ｃの外観形状に倣うようにして回動される。ロック板２５とロック解除操作部材２６とは、互いに重なり合わされて一体的に支軸２７を支点にして回動され、ロック板２５は、ロック解除ボタン２６ｄとの回動平面と略同一平面内で回動される。このロック板２５の支軸２７回りの回動により、そのロック爪２５ｃと撮像ユニット２の被ロック爪２０ｄとの係合によるカメラボディ１に対して撮像ユニット２をロック状態とすることと、そのロック状態を解除することとが可能となるが、その詳細な作用については後述する。ロック解除ボタン２６ｄすなわちロック解除操作部材２６およびロック板２５では、後述するように、支軸２７回りの後方（Ｚ方向負側）への回動により（図１の矢印Ｆ４参照）ロック状態の解除となることから、この回動方向を解除操作方向とする。この解除操作方向は、ロック用スプリング２８による付勢（図１４の矢印Ｆ３参照）に抗する方向となる。
【００９８】
ロック解除操作部材２６およびロック板２５では、ストッパ２７ａとストッパ２７ｂとにより支軸２７回りの回動範囲が規定されている。このストッパ２７ａとストッパ２７ｂとは、実施例１では、前カバー部材１Ｓに設けられている（図４０参照）。ストッパ２７ａは、ロック解除操作部材２６の第１当接面２６ｆに当接可能とされており、ロック解除操作部材２６およびロック板２５の解除操作方向への回動量を規制する役割を果たす。ストッパ２７ｂは、ロック解除操作部材２６の第２当接面２６ｇに当接可能とされており、ロック解除操作部材２６およびロック板２５のロック用スプリング２８の回動付勢方向への回動量を規制する役割を果たす。このため、ロック解除操作部材２６およびロック板２５は、ロック板２５のロック爪２５ｃと撮像ユニット２の被ロック爪２０ｄとが係合していない状態では、ロック用スプリング２８の回動付勢により第２当接面２６ｇがストッパ２７ｂに当接した状態で保持される。
（カメラボディ側コネクタ部１２及び撮像ユニット側コネクタ部１１の詳細構造）
側壁部１Ｃには、図１９、図２０に示すように、凹部１Ａに向かって開放する嵌合用の開口部５２が、撮像ユニット側コネクタ部１１に対応して形成されている。この開口部５２内には、コネクタ本体５３が配設される。カメラボディ側コネクタ部１２は、その開口部５２内にコネクタ本体５３を配置することにより構成される。ボディ用側壁面補強板金部材６は、その開口部５２を避けるようにして配置されている。
【００９９】
ここでは、図２０に示すように、ボディ用側壁面補強板金部材６は、背壁部１Ｂを下側にしてかつ上壁部１Ｄを右側にして側壁部１Ｃを正面から見たときに、上辺板部６ａと下辺板部６ｂとこれらを連結する連結板部６ｃとから構成されている。その連結板部６ｃは左側に位置し、ボディ用側壁面補強板金部材６の右側は開放されている。
【０１００】
この開口部５２は、側壁部１Ｃに設けられたコネクタカバー部材５４と側壁部１Ｃ及び背壁部１Ｂとにより輪郭形状が規定される。そのコネクタ本体５３は、コネクタ端子１２ｃが被覆部材１２ｂに覆われて構成されている。
【０１０１】
このコネクタ本体５３は、カメラボディ１と撮像ユニット２との間でのデータ転送（通信）を可能とするために、図２１に示す撮像ユニット側コネクタ部１１のコネクタ本体６０と接続される。
【０１０２】
コネクタ端子１２ｃは、撮像ユニット側コネクタ部１１のコネクタ本体６０のコネクタ端子６１との相対的な左右方向への移動によりコネクタ端子６１と電気的な接続が可能とされている。ここでは、コネクタ端子１２ｃはメス型である。また、コネクタ端子６１は雄型である。なお、コネクタ端子６１は、包囲部材６２により包囲される。包囲部材６２とコネクタ端子６１との間には、図８に示すように、位置決め突起１２ａ、１２ａが嵌合される位置決め穴６３が形成されている。
【０１０３】
コネクタ端子１２ｃは、カメラボディ１に固定されたコネクタ基板５１に接続されている。このコネクタ基板５１には、操作部の操作により撮像ユニット２を制御するのに用いる回路、撮像ユニット２により撮像された画像を処理する処理回路等の電気回路が配線されている。
【０１０４】
被覆部材１２ｂは、コネクタ端子１２ｃを被覆可能な長尺形状を呈している。この被覆部１２ｂは、カメラボディ１に撮像ユニット２を装着するとき、人の手が触れて、人体にたまっている静電気の放電により、電気回路、電気素子等が静電破壊されるのを防止する役割を有する。
【０１０５】
カメラボディ側コネクタ部１２には、開口部５２とコネクタ本体５３との大きさ寸法の差異により、コネクタ本体５３を取り囲む環状溝５７が形成される。この環状溝５７は、撮像ユニット側コネクタ部１１の嵌合用の突出部としてのコネクタカバー部分５９が、互いに接続されたコネクタ本体５３とコネクタ本体６０とを取り囲みつつ内方に入り込むことのできる大きさ寸法とされている。その環状溝５７には、コネクタ本体５３を包囲する矩形状の封止部材５８が設けられている。なお、ロック板２５は、図２０に示すように、環状溝５７内で、その封止部材５８よりも上壁部１Ｄに近接して配設されている。
【０１０６】
撮像ユニット側コネクタ部１１のコネクタカバー部分５９は、筐体２Ａの左側面２ｃから突出されている。コネクタ本体６０は、そのコネクタカバー部分５９内に配設されている。
【０１０７】
その封止部材５８は、ゴム（弾性樹脂材料）やスポンジ（海綿状の樹脂材料）のような弾性変形可能な材料で構成されたシート状とされている。この封止部材５８は、接着剤等によって環状溝５７を構成する環状壁に固着されている。封止部材５８は、図２２に示す互いに接続状態にあるコネクタ本体５３（コネクタ端子１２ｃ）とコネクタ本体６０（コネクタ端子６１）とに、塵埃や液体等が付着することを防止する防塵機能や防水機能を有する。
【０１０８】
図２２に示すように、この撮像ユニット２がカメラボディ１の凹部１Ａに適切に装着されると、筐体２Ａの左側面２ｃが側壁部１Ｃすなわちボディ用側壁面補強板金部材６に当接されて、凹部１Ａ内での左右方向（Ｘ方向）の位置決めが為される。
【０１０９】
また、撮像ユニット２がカメラボディ１の凹部１Ａに装着された状態で、撮像ユニット側コネクタ部１１のコネクタカバー部分５９（図２１参照）が、カメラボディ側コネクタ部１２の環状溝５７に遊嵌され、一対の位置決め穴６３と一対の位置決め突起１２ａとにより撮像ユニット側コネクタ部１１のコネクタ本体６０がカメラボディ側コネクタ部１２のコネクタ本体５３に適切に連結されて、カメラボディ１と撮像ユニット２とが電気的に通信可能に接続される。
【０１１０】
このとき、撮像ユニット側コネクタ部１１のコネクタカバー部分５９の先端は、カメラボディ側コネクタ部１２の環状溝５７に設けられた封止部材５８を圧接する。コネクタカバー部分５９の先端が封止部材５８を圧接することにより、コネクタカバー部分５９の先端と封止部材５８との間を確実に封止することができる。従って、塵埃や液体等が、カメラボディ１の凹部１Ａから、撮像ユニット２のコネクタ部１１のコネクタ本体６０のコネクタカバー部分５９の内方へと侵入するのを防止できる。
（板バネ２Ｋの形状説明）
図２３は、板バネ２Ｋの外観形状を示す拡大斜視図である。図２４は、板バネ２Ｋとユニット用背壁面補強板金部材１０とボディ用背壁面補強板金部材４との係合完了状態での位置関係を示す図である。
【０１１１】
板バネ２Ｋは、図１０Ｂ、図２３、図２４に示すように、取付け板部ｋ１と自由板部ｋ２を有する。この取り付け板部ｋ１と自由板部ｋ２とは概略平行の構成とされ、図６、図１０Ｂに示す撮像ユニット２の一対の係合爪切り起部用案内穴１０ｒと直交する方向に延びている。一対のネジ穴２ｍ、２ｍは、その一対の取り付け板部ｋ１に間隔を開けて形成されている。その取付け板部ｋ１は、そのネジ穴２ｍ、２ｍの形成箇所から係合爪切り起部用案内穴１０ｒと平行に延びる一対の平行板部ｋ３、ｋ３を有する。この一対の平行板部ｋ３、ｋ３は、係合爪切り起部用案内穴１０ｒと係合爪進入許容穴１０ｑとの境界近傍で同一平面内で係合爪進入許容穴１０ｑに向かう方向に直角に延在された直交板部ｋ３’、ｋ３’を有する。その一対の直交板部ｋ３’、ｋ３’は、自由板部ｋ２の延びる方向両端部で互いに連結されている。
【０１１２】
その図２３、図２４において、符号ｋ４、ｋ４はその一対の直交板部ｋ３’、ｋ３’と自由板部ｋ２とを連結する連結板部を示している。その一対の連結板部ｋ４、ｋ４は、図２３に示すように、傾斜弾性板部ｋ５、ｋ６と当接板部ｋ７とから構成されている。この一対の連結板部ｋ４、ｋ４は、係合爪切り起部用案内穴１０ｒに沿って延びている。一対の係合爪４ｂ、４ｂの屈曲板部４ｆ、４ｆは、ユニット用背壁面補強板金部材１０を基準にしてこのユニット用背壁面補強板金部材１０よりも撮像ユニット２の内側から、その連結板部ｋ４、ｋ４に対面する構成、言い換えると、その連結板部ｋ４、ｋ４に臨む構成とされている。
【０１１３】
その傾斜弾性板部（付勢板バネ（板バネ２Ｋ））ｋ５、ｋ６は、係合爪４ｂ、４ｂに臨む係合板部１０ｎ、１０ｎの面に位置して、撮像ユニット２を背壁部１Ｂに向けて付勢する。このため、板バネ２Ｋ（その傾斜弾性板部ｋ５、ｋ６）は、一対の係合爪４ｂ、４ｂおよびそこに臨む係合板部１０ｎ、１０ｎとの協働により、撮像ユニット２をカメラボディ１の背壁部１Ｂに向けて付勢する付勢部として機能する。
【０１１４】
屈曲板部４ｆが撮像ユニット２の外側から係合板部１０ｎに当接する場合、係合突起４ｇがないものとすると、撮像ユニット２がカメラボディ１のボディ用背壁面補強板金部材４に対して斜めに傾いた状態で、両コネクタ部１１、１２同士が接続される可能性があるが、この発明の実施の形態によれば、後述する理由によりこのような問題は生じない。
【０１１５】
なお、屈曲板部４ｆが、図２６、図２７に示すように、係合板部１０ｎに対して撮像ユニット２の内側に位置している場合には、係合突起４ｇの有無に拘わらず撮像ユニット２がカメラボディ１のボディ用背壁面補強板金部材４に対して斜めに傾いた状態で両コネクタ部１１、１２同士が接続されるという可能性は生じない。
【０１１６】
その当接板部ｋ７には、撮像ユニット２がカメラボディ１に適切に装着された状態で、すなわち、撮像ユニット側コネクタ部１１とカメラボディ側コネクタ部１２とが接続された状態で、一対の係合爪４ｂ、４ｂが当接可能とされている。
【０１１７】
そのユニット用背壁面補強板金部材１０には、図２４〜図２６に示すように、ユニット用背壁面補強板金部材１０の係合板部１０ｎ、１０ｎに係合爪４ｂが係合完了した状態では、傾斜弾性板部ｋ５、ｋ６の弾性変形による付勢力によりボディ用背壁面補強板金部材４に向かう方向の押圧力が加わる。これにより、撮像ユニット２がカメラボディ１に押しつけられる。また、半円形状凸部１０ｓが係合爪４ｂの屈曲板部４ｆに当接し、屈曲板部４ｆとユニット用背壁面補強板金部材１０との間に寸法誤差に起因する隙間があったとしても、この寸法誤差に基づくガタ付きは、図２７に示すように、板バネ２Ｋの弾性変形と半円形状凸部１０ｓとにより吸収される。なお、図２７には板バネ２Ｋの弾性変形前の状態が二点鎖線で示されている。
（樹脂板３０の摺接リブ４ｋ、４ｎの機能の説明及び樹脂板３０の構成の補足説明）
摺接リブ４ｋの機能と摺接リブ４ｎとの機能は同一であるので、ここでは、図２８、図２９を参照しつつ摺接リブ４ｎの機能を説明する。
【０１１８】
カメラボディ１に対して撮像ユニット２を左右方向にスライドさせて、当該撮像ユニット２をカメラボディ１に対して着脱する際に、ユニット用背壁面補強板金部材１０がボディ用背壁面補強板金部材４に直接接触する構成とすると、ボディ用背壁面補強板金部材４とユニット用背壁面補強板金部材１０との金属同士の擦過に起因する金属音が発生する。ところが、実施例１によれば、撮像ユニット２をカメラボディ１に対して左右方向にスライドさせる際に、ユニット用背壁面補強板金部材１０が図２８、図２９に示すように、樹脂製の摺接リブ４ｎに摺接しながら左右方向に摺動する構成であるので、金属同士の擦過に起因する金属音の発生を回避できる。
【０１１９】
また、樹脂板３０を背壁部１Ｂの凹処に配設する構成として、撮像ユニット２を背壁部１Ｂに向けて押し付けると、背壁部１Ｂと樹脂板３０との間の寸法公差に起因して、樹脂板３０が弾性変形して反り返り、樹脂板３０の反り返りに基づきいわゆる「ぱくつき音」が発生するが、実施例１では、樹脂板３０の背壁部１Ｂに臨む側の面であって適宜箇所に、図２５〜図２９に示すように、半球形状突部３０ｔが複数個形成され、背壁部１Ｂと樹脂板３０との間の寸法公差を吸収する構成とすることにより、寸法公差に起因する反り返り、弾性変形を防止することができ、反り返りに起因する「ぱくつき音」の発生を回避する構成とされている。
（カメラボディ１、撮像ユニット２に搭載される電装部品の回路構成）
次に、図３０を参照しつつカメラボディ１、撮像ユニット２に搭載される電装部品について説明する。
【０１２０】
カメラボディ１には、例えば、図３０に示すように、リチウムイオンバッテリ２０４、ストロボ発光部２０７、電子ビューファインダー装置２０９、表示部としての表示面１ｂを有する液晶表示装置（ＬＣＤ）２１０、ハイビジョンテレビジョンコネクタインタフェース（ＨＤＭＩＩＦ）２１２、オーディオビデオ（ＡＶＯＵＴ）出力端子２１３、ＵＳＢインターフェース（ＵＳＢＩＦ）２１４、ＳＤカードインタフェース（ＳＤｃａｒｄ）２１５、オーディオコーデック回路（ＡＵｄｉｏ  ｃｏｄｅｃ）２１６、スピーカ２１７、マイクロフォン２１８、画像データを記憶する記録媒体としてのフラッシュＲＯＭ（Ｆｌａｓｈ  ＲＯＭ）２１９、ＤＤＲ−ＳＤＲＡＭ２２０、画像データを受信する受信部としても機能するメインＣＰＵ２０８、撮像指示を与える操作スイッチ２０６、２１１、操作スイッチ２０６からの撮像指示を受け付ける撮像指示受付部としてのサブＣＰＵ（Ｓｕｂ  ＣＰＵ）２０５、ＤＣ／ＤＣ電源回路２０３、スイッチング素子２０２、カメラボディ側コネクタ部１２のコネクタ端子２０１（１２ｃ）が設けられている。
【０１２１】
これらは、撮像装置としてのデジタルカメラに要求される公知の機能を有する電装部品の一部を構成している。その操作スイッチ２０６は、例えばレリーズボタン５ｙであり、操作スイッチ２１１は例えば液晶表示装置（ＬＣＤ）２１０等を操作する操作キーである。その液晶表示装置（ＬＣＤ）２１０は、例えば背壁部１Ｂに設けられている。その操作スイッチ２１１は、その背壁部１Ｂの適宜箇所に設けられる。
【０１２２】
撮像ユニット２の筐体２Ａには、光学系としての撮像レンズユニット１０７、撮像素子１０８、ＡＦＥ回路１０９、ホール素子（Ｈａｌｌ  ｅｌｅｍｎｔ）１０４、駆動コイル（Ｃｏｉｌ）１０５、ジャイロセンサ（Ｇｙｒｏｓｅｎｓｏｒ）１０６、駆動ドライバ（Ｍｏｔｏｒ  Ｄｒｉｖｅｒ）１１１、駆動モータ（Ｍ）１１０、加速度検出センサ１１２、テレワイド検出スイッチ１１３、画像データを送信する撮像ユニットコネクタ部１１のコネクタ端子１１６（６１）が設けられている。
【０１２３】
これらも撮像装置としてのデジタルカメラに要求される公知の機能を有する実装部品の一部を構成している。その撮像レンズユニット１０７は複数個のレンズを有し、この複数個のレンズ系の一部は可動鏡筒３ｂに設けられている。なお、実施例１では、駆動モータ（Ｍ）１１０、駆動ドライバ１１１を撮像ユニット２に設ける構成として説明しているが、これらはカメラボディ１に設ける構成とすることもできる。
【０１２４】
ここでは、撮像ユニット２には、カメラボディ１から電源電力が供給される。例えば、ホール素子１０４、駆動コイル１０５、ジャイロセンサ１０６は、手ぶれ補正機構の一部を構成している。この手ぶれ補正機構の信号は、コネクタ端子１１６、２０１を介してメインＣＰＵ２０８に入力され、メインＣＰＵ２０８は、これらの信号に基づき手ぶれ補正処理を実行する。手ぶれ補正処理とは、手ぶれによって発生する撮像素子の受光面上に投影される画像のぶれを補正する処理である。
【０１２５】
このような処理は、例えば、ジャイロセンサ１０６により検出したぶれの方向と反対の方向に撮像素子を駆動する処理であっても良いし、また、ジャイロセンサ１０６により検出したぶれの方向と同一の方向に撮像レンズユニット１０７の一部の光学素子を駆動する処理であっても良い。撮像素子１０８の映像信号は、ＡＦＥ回路１０９を介してメインＣＰＵ２０８に入力され、所定の画像処理が施されて液晶表示装置（ＬＣＤ）２１０等に表示される。
【０１２６】
テレワイド検出スイッチ１１３は、コネクタ端子１１６、２０１を介してメインＣＰＵ２０８に入力され、メインＣＰＵ２０８はテレワイド検出スイッチ１１３、操作スイッチ２１１等のスイッチ信号に基づいて駆動ドライバ１１１、駆動モータ１１０を制御し、これにより、撮像レンズユニット１０７を駆動制御する。加速度検出センサ１１２の検出出力は、コネクタ端子１１６、２０１を介してメインＣＰＵ２０８に入力され、メインＣＰＵ２０８は、その加速度検出センサ１１２の検出出力に基づいて液晶表示装置（ＬＣＤ）２１０に表示される画像の傾きを制御する。液晶表示装置（ＬＣＤ）２１０には、加速度検出センサ１１２の検出出力に基づいて、水平に対する撮像ユニット２の傾き具合が表示される。水平に対する撮像ユニット２の傾き具合は、数値による表示であっても、映像による表示あっても良い。
【０１２７】
操作スイッチ２０６を操作すると、その撮像指示に基づいて、撮像ユニット２が被写体を撮像して画像データに変換する。コネクタ端子１１６はこの画像データをメインＣＰＵ２０８に送信する。
【０１２８】
その撮像ユニット２に、図３１に示すように、ＤＣ／ＤＣ電源回路１０１、サブＣＰＵ１０２、メインＣＰＵ１０３、フラッシュＲＯＭ１１４、ＤＤＲＳＤＲＡＭ１１５を設け、メインＣＰＵ１０３で画像処理を行った後、コネクタ端子１１６、２０１を介して画像処理信号をメインＣＰＵ２０８に送信する構成を採用することもできる。メインＣＰＵ１０３でＪＰＥＧ等のフォーマットへの圧縮処理を行い、コネクタ端子１１６、２０１を介して圧縮された画像データをメインＣＰＵ２０８に送信する構成を採用することもできる。このように、撮像ユニット２で画像処理、又は、圧縮処理を行う構成とすると、ノイズの少ない安定した画像をカメラボディ１のメインＣＰＵ２０８に送信することができる。これらの電装部品は図示を略す電装基盤に配設される。
【０１２９】
このように、この発明の実施例１によれば、図１、図２に示すように、同一のカメラボディ１に対して、異なる大きさの撮像ユニット２を着脱可能である。なお、撮像ユニット２をカメラボディ１に装着したときに、撮像ユニット２の筐体２Ａの下面とカメラボディ１の下面とが面一となるように、カメラボディ１および撮像ユニット２を構成すると、撮像ユニット２が装着されたカメラボディ１の取り扱いが容易になる。更に、異なる大きさの撮像ユニット２をカメラボディ１に装着したときであっても、各撮像ユニット２の筐体２Ａの下面とカメラボディ１の下面とが面一となるように、カメラボディ１および各撮像ユニット２を構成すると、いずれの撮像ユニット２が装着されたカメラボディ１でも、取り扱いが容易となる。
【０１３０】
カメラボディ１の凹部１Ａは、三方向（右、下、前）に開放され、カメラボディ１に対する撮像ユニット２の大きさの制約が緩和されているので、顧客のニーズに合わせて大型の高感度撮像素子や小型の撮像素子を撮像ユニット２に配設することができ、左右上下前後方向に大きさの違う撮像ユニット２を共通のカメラボディ１に着脱できる。また、例えば、撮像ユニット２のレンズ鏡胴３の大きさの自由度を従来に較べて向上させたので、単焦点レンズから高倍率ズームレンズまでの多種多様の交換レンズ群ユニットとして、撮像ユニットを提供できる。従って、顧客は、撮像素子１０８の進歩に応じて撮像ユニット２のみを購入し、グレードアップを図ることができることになる。
【０１３１】
カメラボディ１の凹部１Ａは、右と下との２方向が開放されていることにより、左右上下方向に大きさの異なる撮像ユニット２を装着することが可能である。よって、カメラボディ１に対する撮像ユニット２の大きさの制約が緩和されているので、顧客のニーズに合わせて大型の高感度撮像素子や小型の撮像ユニット２に配設することができ、レンズ鏡胴３や撮像素子の異なる、大きさの違う撮像ユニット２を共通のカメラボディ１に着脱できる。また、例えば、撮像ユニット２のレンズ鏡胴３の大きさの自由度を従来に較べて向上させたので、単焦点レンズから高倍率ズームレンズまでの多種多様の交換レンズ群ユニットとして、撮像ユニット２を提供できる。従って、顧客は、撮像素子１０８の進歩に応じて撮像ユニット２のみを購入し、グレードアップを図ることができることになる。
【０１３２】
この発明の実施の形態によれば、既述したように、同一のカメラボディ１に対して、大きさの異なるレンズ鏡胴３や大きさの異なる撮像素子を有し、凹部に配設される筐体の大きさが異なる複数の撮像ユニット２を着脱可能である。図２に示す撮像ユニット２のレンズ鏡胴３は図１に示す撮像ユニット２のレンズ鏡胴３よりも長く、光学系が大きい。なお、撮像ユニット２の筐体２Ａの下面２ｅとカメラボディ１の下面とは撮像ユニット２をカメラボディ１に装着したときに面一となるように、カメラボディ１、撮像ユニット２を構成するのが望ましい。
【０１３３】
すなわち、ここでは、カメラボディ１の凹部１Ａは三方向に開放され、カメラボディ１に対する撮像ユニット２の大きさの制約が緩和されているので、顧客のニーズに合わせて大型の高感度撮像素子や小型の撮像素子を撮像ユニット２に配設することができ、レンズ鏡胴や撮像素子の異なる撮像ユニット２を共通のカメラボディ１に着脱できる。また、例えば、撮像ユニット２のレンズ鏡胴３の大きさの自由度を従来に較べて向上させたので、単焦点レンズから高倍率ズームレンズまでの多種多様の交換レンズ群ユニットとして、撮像ユニットを提供できる。従って、顧客は、撮像素子１０８の進歩に応じて撮像ユニット２のみを購入し、グレードアップを図ることができることになる。また、両コネクタ部１１、１２にベイコネクタを用いると、短時間で画像データの転送を行うことができる。
【０１３４】
なお、従来の交換レンズ用レンズマウントの規格では、撮像素子の大きさ、レンズマウントと撮像素子との間の光軸方向の距離（フランジバック）、レンズマウントの直径、等について制約があった（例えば、フォーサーズシステム(Ｆｏｕｒ  Ｔｈｉｒｄｓ  Ｓｙｓｔｅｍ)等）。この制約により、カメラ全体としての薄型化・小型化には限界があった。
【０１３５】
これに対して、本発明では、撮像素子の大きさ、光学系と撮像素子との間の光軸方向の距離、レンズ鏡筒の直径、等を撮像ユニット毎に自由に設定できる。撮像ユニット毎の用途に応じて、様々な光学系と様々な種類・大きさの撮像素子（種類：ＣＯＭＳ，ＣＣＤなど。大きさ：ＡＳＰ−Ｃ、２／３インチ型、１／２．３３型など）とを自由に組合せることができる。
【０１３６】
また、カメラ全体として薄型化・小型化を行う際には、撮像ユニット２の光軸方向の長さをより短くすること、及び、レンズ鏡筒の直径をより小さくすることが可能となり、撮像ユニット全体の大きさを小さくすることができる。
【０１３７】
一方、カメラの撮像性能を向上させる場合には、より大型の撮像素子と、より大きな光学系とを組み合わせることができ、カメラの各種撮像性能を向上させることができる。この場合にも、光学系と撮像素子の組合せの自由度が高く、光学系と撮像素子と併せて最適に設計できるので、撮像性能を向上させつつ、撮像ユニット全体の大きさを小さくすることができる。なお、用途に応じて、大きな光学系と小さな撮像素子とを組合せたり、小さな光学系と大きな撮像素子とを組み合わせることも可能である。
【０１３８】
更に、カメラ全体として薄型化・小型化を行った撮像ユニットと、カメラの撮像性能を向上させた撮像ユニットとを同一のカメラボディに着脱可能であることにより、様々な特徴を持つカメラから構成される撮像システム全体を、軽量化・小型化することができる。すなわち、本発明により、デジタルカメラ（撮像装置）そのもの、及び撮像システム全体をより小型にでき、携帯性を向上させることができる。
【０１３９】
また、カメラボディ１と撮像ユニット２との間で通信を行う両コネクタ部１１、１２に、６８ピンのベイコネクタを用いたので、短時間で容量の大きい画像データの転送を行うことができる。なお、カメラボディ１と撮像ユニット２との間の通信を行うために、その他の方式、例えば、無線通信方式、光通信方式、嵌合せずに当接によって通信を行う接触通信方式等を用いても良い。
【０１４０】
また、両コネクタ部１１、１２は、カメラボディ１から撮像ユニット２への電力の供給も行う（図３１参照）。実施例１では、両コネクタ部１１、１２が通信及び電力供給の両方を行うので、コネクタの抜き差しを行う際の不具合が発生しにくいが、通信用コネクタと電力供給用コネクタを別個に設ける構成としても良い。
（カメラボディ１への撮像ユニット２の装着手順）
カメラボディ１への撮像ユニット２の装着手順を概略説明すると、撮像ユニット２は、図３２において、Ｚ方向の負の側の向き（矢印Ｆ１参照）に移動されることにより、カメラボディ１の背面部１Ｂにセットされる。ついで、撮像ユニット２はＸ方向の負の向き（左向き（図３３の矢印Ｆ２参照））に移動されることにより、カメラボディ側コネクタ部１２と撮像ユニット側コネクタ部１１とが嵌合される。係合突起（角度規制部材）４ｇは、この状態のとき、左右方向（ＸＹ方向）で見て、側壁部１Ｃと付勢部との間に位置している。
【０１４１】
また、撮像ユニット２は、カメラボディ側コネクタ部１２と撮像ユニット側コネクタ部１１とが嵌合された状態において、撮像ユニット２をカメラボディ１に対してＸ方向の正の向き（右向き）に移動されることにより、カメラボディ側コネクタ部１２と撮像ユニット側コネクタ部１１との嵌合が解除される。従って、撮像ユニット２がカメラボディ１の側壁部１Ｃの側面壁に対して着脱される方向は、Ｘ方向（左右方向）である。
【０１４２】
次に、カメラボディ１に撮像ユニット２をセットする手順について、以下で詳細に説明する。
【０１４３】
カメラボディ１の背壁部１Ｂを下側にして水平状態にする。例えば、カメラボディ１を左手に載せて水平状態とする。カメラボディ１に対して撮像ユニット２を図３２に示す矢印Ｆ１方向（前から後の方向又は図３２においては上から下の方向）から近づけて、図３３に示すように、係合突起４ｇを係合突起進入許容穴１０ｉに対向させ、係合爪４ｂと矩形状ストッパ突起４ｍとを係合爪進入許容穴１０ｑに対向させ、係合爪４ｂと矩形状ストッパ突起４ｍとを係合爪進入許容穴１０ｑに進入させ、係合突起４ｇを係合突起進入許容穴１０ｉに進入させる。それと同時に、ユニット用背壁面補強板金部材１０のガイド面４ｐ、４ｐにユニット用背壁面補強板金部材１０の辺縁１０ａ、１０ａを摺接させる。
【０１４４】
これにより、図３３に示すように、ユニット用背壁面補強板金部材１０の辺縁１０ａの部分が摺接リブ４ｋ、４ｎに接する。この状態で、図３３に示す矢印Ｆ２方向に撮像ユニット２を移動させると、係合爪４ｂの切り起部４ｅが係合爪切り起部用案内穴１０ｒに沿って案内され、ユニット用背壁面補強板金部材１０の係合板部１０ｎの一部が摺接リブ４ｎに接することになる。また、同時に、係合突起４ｇの切り起部４ｉが係合突起切り起部用案内穴１０ｊに沿って案内される。
【０１４５】
この係合爪４ｂの係合板部１０ｎの傾斜壁１０ｑｓに沿っての案内の際に、係合爪４ｂが板バネ２Ｋを弾性変形させ、この板バネ２Ｋに加わる弾性変形力によって、ユニット用背壁面補強板金部材１０が背壁部１Ｂに押し付けられる。これにより、撮像ユニット２とカメラボディ１との間での寸法誤差に基づくガタツキが吸収される。
【０１４６】
また、撮像ユニット２は、そのユニット用背壁面補強板金部材１０の板面が樹脂製の摺接リブ４ｋ、４ｎを摺動しつつ、かつ、ユニット用背壁面補強板金部材１０の辺縁１０ａ、１０ａがガイド面４ｐ、４ｐに摺接しつつ側壁部１Ｃに向かって案内されるので、ユニット用背壁面補強板金部材１０とボディ用背壁面補強板金部材４との擦過によって生じる金属製の擦過音も回避される。
【０１４７】
その板バネ２Ｋへの係合爪４ｂの接触とほぼ同時に補助嵌合突起１４と補助嵌合穴２２との嵌合が開始され、この補助嵌合突起１４と補助嵌合穴２２とによって、カメラボディ側コネクタ部１２に対する撮像ユニット側コネクタ部１１の位置規制が概略なされる。
【０１４８】
ついで、カメラボディ側コネクタ部１２と撮像ユニット側コネクタ部１１とが、図２２に示すように互いに嵌合されて、カメラボディ１と撮像ユニット２とが電気的に通信可能に接続される。
【０１４９】
カメラボディ１のＭａｉｎ  ＣＰＵ２０８はカメラボディ側コネクタ部１２の所定のピン（カメラボディ側接続検知用ピン）の接続の有無を監視しており、カメラボディ側接続検知用ピンが撮像ユニット側接続検知用ピンと接続されたことを検知すると、カメラボディ側コネクタ部１２と撮像ユニット側コネクタ部１１との間の通信及び電力送信を開始する。
【０１５０】
なお、接続検知用ピンが接続されたことを検知した場合、直ちに、カメラボディ側コネクタ部１２と撮像ユニット側コネクタ部１１との間の通信及び電力送信を開始する構成としても良い。
【０１５１】
また、接続検知用ピンが接続されたことを検知した場合、所定の時間経過後に、カメラボディ側コネクタ部１２と撮像ユニット側コネクタ部１１との間の通信又は電力送信を開始する構成としても良い。すなわち、撮像ユニット側コネクタ部１１とカメラボディ側コネクタ部１２との接続により通信可能な状態になれば良く、接続と同時に通信を行う必要はない。
【０１５２】
なお、その補助嵌合突起１４と補助嵌合穴２２との嵌合の際に、補助嵌合穴２２の底部に衝撃吸収部材２２ａ（図８参照）が設けられているので、カメラボディ１と撮像ユニット２との衝突による衝撃が緩和される。また、その補助嵌合突起１４と補助嵌合穴２２とによってカメラボディ１に対する撮像ユニット２の前後方向のガタツキが更に緩和される。
【０１５３】
そのカメラボディ側コネクタ部１２と撮像ユニット側コネクタ部１１との接続が完了した状態の際には、図２４〜図２９に示すように、係合爪４ｂが板バネ２Ｋの弾性付勢力を受けつつ半円形状凸部１０ｓ、１０ｓに当接した状態となっている。
【０１５４】
また、その補助嵌合突起１４と補助嵌合穴２２との嵌合の際とほぼ同時でかつ位置決め突起１２ａ（図４参照）と位置決め穴６３（図８参照）との嵌合直前に、図１４に示すように、撮像ユニット２に設けられた被ロック爪２０ｄの傾斜壁２０ｅが、カメラボディ１に設けられたロック爪２５ｃの傾斜壁２５ｃ’に当接して押圧することにより傾斜壁２５ｃ’に生じる分力が、ロック用スプリング２８によるロック解除操作部材２６すなわちロック板２５への回動付勢力よりも大きくなると、ロック板２５は支軸２７を支点にしてその回動付勢力の作用する方向（図１４において矢印Ｆ３方向）とは反対方向（分力の作用方向）に回動される。
【０１５５】
ついで、被ロック爪２０ｄがロック爪２５ｃを乗り越えると、ロック板２５は、ロック用スプリング２８の回動付勢力により元の位置に復帰すべく回動する。その結果、ロック爪２５ｃが切り欠き部２０ｃに進入し、被ロック爪２０ｄが切り欠き部２５ｂに進入する。これにより、ロック爪２５ｃと被ロック爪２０ｄとが噛み合い（係合し）、撮像ユニット２はカメラボディ１に対して左右方向（Ｘ方向）に固定された状態いわゆるロック状態とされる。このロック部材としてのロック爪２５ｃと被ロック部材としての被ロック爪２０ｄとによって、カメラボディ１と撮像ユニット２との左右方向のガタツキが制約される。
【０１５６】
実施例１では、撮像ユニット２のカメラボディ１へのロック状態では、一対の係合爪４ｂ、４ｂが係合板部１０ｎ、１０ｎに確実に係合している。一対の係合板部１０ｎ、１０ｎは、側壁部１Ｃに形成された上下方向で一対の補助嵌合突起１４、１４に対して左右方向に大きく離れた位置に形成されているので、撮像ユニット２をカメラボディ１に対して前方側（Ｚ方向正側）に引き抜こうとしても、その引き抜きに伴う力が分散され、その引き抜きが確実に阻止される。また、その両コネクタ部１１、１２に、その引き抜きに伴う無理な力が加わるのを阻止できる。
【０１５７】
また、撮像ユニット２の右側の下辺部を手で持って、右下に向けて無理矢理に引き抜こうとしても、一対の補助嵌合突起１４、１４と、一対の係合爪４ｂ、４ｂと、ロック機構２４とによってその引き抜きが阻止され、両コネクタ部１１、１２にその引き抜きに伴う無理矢理な力が加わるのが阻止される。
【０１５８】
さらに、側壁部１Ｃに向かって撮像ユニット２を移動させるという１つの動作によって、ロック機構２４によるカメラボディ１と撮像ユニット２の機械的な固定と、両コネクタ部１１、１２による電気的な接続とがほぼ同時に完了するので、撮像ユニット２のカメラボディ１への装着操作を短時間で容易に行うことができる。
【０１５９】
このように、カメラボディ１では、撮像ユニット２を装着する際、当該撮像ユニット２との接続を正確かつスムースに行うことができる。
【０１６０】
なお、両コネクタ部１１、１２の嵌合タイミングと、両コネクタ部１１、１２の通信及び電力送受信開始タイミングとをカメラボディ１のカメラボディ側接続検知用ピンによらずに異ならせても良い。
【０１６１】
例えば、両コネクタ部１１、１２による通信及び電力送受信の開始・終了を指示する操作部（図示を略す）をカメラボディ１に設け、この操作部による操作に応じて両コネクタ部１１、１２が通信及び電力送受信を開始・終了する構成としても良い。
【０１６２】
また、ロック板２５の位置を検出するロック状態検出部を設け、ロック状態検出部がロック板２５の所定位置にあって撮像ユニット２をロックしていることを検出した後に、両コネクタ部１１、１２が通信及び電力送受信を開始・終了する構成としても良い。
【０１６３】
さらに、一対の係合爪４ｂの屈曲板部４ｆが撮像ユニット２の外側から係合板部１０ｎに当接しているとき（屈曲板部４ｆが係合板部１０ｎに乗り上げている場合）には、係合突起（角度規制部材）４ｇの屈曲部４ｈが撮像ユニット２の外側から構成壁部分１０ｈ’に当接するので、図３４に示すように背壁部１Ｂのボディ用背壁面補強板金部材４に対して撮像ユニット２が例えば平行に浮いた状態となり、カメラボディ１に対して撮像ユニット２が斜めに傾くのが防止され、撮像ユニット２が斜めの状態でカメラボディ側コネクタ部１２と撮像ユニット側コネクタ部１１との接続が阻止される。
【０１６４】
また、実施例１では、補助嵌合突起１４と補助嵌合穴２２との位置関係がずれるので、両コネクタ部１１、１２同士の接続の阻止の確実化が図られ、その結果、両コネクタ同士１１、１２の破壊が確実に防止される。
【０１６５】
すなわち、係合突起４ｇは、撮像ユニット２を凹部１Ａに配設してカメラボディ１に対して着脱する際の撮像ユニット側コネクタ部１１とカメラボディ側コネクタ部１２との接続を図る際に、撮像ユニット２がカメラボディ１に対して不自然な姿勢角度で接続されるのを回避する不自然姿勢角度回避部材（角度規制部材）として機能する。
【０１６６】
その係合突起４ｇは、カメラボディ１の側壁部１Ｃに形成されているカメラボディ側コネクタ部１２の開口部５２（環状溝５７）と撮像ユニット２の撮像ユニット側コネクタ部１１の嵌合突出部としてのコネクタカバー部分５９が斜めに嵌合されるのを阻止する機能も果たす。
【０１６７】
要するに、この角度規制部材（規制部材）は、撮像ユニット側コネクタ部１１とカメラボディ側コネクタ部１２とが不自然な姿勢角度で接続されるのを回避し、規制部材（４ｇ）が挿入開口部（１０ｉ）に挿入された場合には、撮像ユニット２の背面とカメラボディ１の背壁部１Ｂとが平行に当接し、撮像ユニット２の側壁部１Ｃへ向かう向きへの移動に伴って撮像ユニット側コネクタ部１１とカメラボディ側コネクタ部１２とが接続される。
【０１６８】
また、規制部材（４ｇ）が規制部材当接部（１０ｈ’）に当接した場合には、撮像ユニット２の背面とカメラボディ１の背壁部１Ｂとが平行に当接せず、撮像ユニット側コネクタ部１１とカメラボディ側コネクタ部１２とが接続されないことになる。
【０１６９】
なお、この角度規制部材は、付勢部の有無に拘わらず撮像ユニット側コネクタ部１１とカメラボディ側コネクタ部１２とが不自然な姿勢角度で接続されるのを回避することが可能である。
【０１７０】
また、実施例１では、カメラボディ１には、撮像ユニット２がカメラボディ１に装着された状態において、撮像ユニット２をカメラボディ１の背壁部１Ｂに向けて付勢する付勢部が設けられているので、撮像ユニット２がカメラボディ１に不自然な角度で装着されるという不具合が発生する恐れがある。この実施例１では、角度規制部材が設けられているので、撮像ユニット２とカメラボディ１とが不自然な角度姿勢で装着される不都合を確実に回避できる。
【０１７１】
背壁部１Ｂの背壁面からその係合突起（角度規制部材）４ｇの屈曲部４ｈまでの高さが、背壁部１Ｂの背壁面から係合爪４ｂの屈曲板部４ｆまでの高さと同じかそれ以上であると、撮像ユニット２がカメラボディ１に対して不自然な姿勢角度で接続されるのを回避できる。他方、背壁部１Ｂの背壁面からその係合突起（角度規制部材）４ｇの屈曲部４ｈまでの高さを低くすると、その係合突起４ｇに対応するガイド穴１０ｈを浅く形成でき、撮像ユニット２の小型化を図ることができる。
【０１７２】
そこで、カメラボディ側コネクタ部１２により近い側に、すなわち、付勢部よりも側壁部１Ｃに近い側に、係合突起（角度規制部材）４ｇを配設することにする。このように、カメラボディ側コネクタ部１２により近い側に、係合突起（角度規制部材）４ｇを配設すると、係合突起４ｇの高さが係合爪４ｂの高さより低くとも、一対の係合爪４ｂの屈曲板部４ｆが係合板部１０ｎに当接すると共に屈曲部４ｈが構成壁部分１０ｈ’に当接したときの撮像ユニット２のカメラボディ１に対する傾き角度を小さくできるので、すなわち、背壁部１Ｂのボディ用背壁面補強板金部材４に対して撮像ユニット２を平行に近い状態にできるので、係合突起（角度規制部材）４ｇの高さを低くしても、撮像ユニット２がカメラボディ１に対して不自然な姿勢角度で接続されるのを回避することができる。
（カメラボディ１からの撮像ユニット２の取り外し手順）
次に、カメラボディ１から撮像ユニット２を取り外す手順について説明する。
【０１７３】
撮像ユニット２が凹部１Ａに配置された状態で撮像ユニット２を正面から見て、ロック解除ボタン２６ｄを右方向（図１においてＦ４方向）に操作する。これにより、ロック解除操作部材２６は、支軸２７を支点にしてロック用スプリング２８の回動付勢力に対して反対方向（図１４においてＦ３と反対方向）に回動される。
【０１７４】
すると、嵌合突起２６ｂに嵌合凹所２５ｄが嵌合されたロック板２５もロック用スプリング２８の回動付勢力に対して反対方向（図１４においてＦ３と反対方向）への回動し、ロック板２５のロック爪２５ｃが、支軸２７を支点にして切り欠き部２０ｃから退避する方向（後方）に回動される。これにより、ロック爪２５ｃと被ロック爪２０ｄとの噛み合い（係合）が解除される。すなわち、カメラボディ１に対する撮像ユニット２のロック（ロック状態）が解除される。このように、ロック解除操作部材（ロック解除板）２６は、支軸２７との協働により、カメラボディ１の外装部材（実施例１では、前カバー部材１Ｓ、上カバー部材１Ｕおよび後カバー部材１Ｔ）の外方に露出して配置され、当該外装部材の外方からロック機構２４によるロック状態の解除操作を行うことができる第１ロック解除機構２４ａとして機能する。
【０１７５】
この状態で、カメラボディ１に対して撮像ユニット２を左から右方向（図１、図２において、矢印Ｆ５方向）に移動させる。すると、両コネクタ部１１、１２同士の嵌合が解除されると共に、補助嵌合突起１４と補助嵌合穴２２との嵌合も解除される。
【０１７６】
その後、撮像ユニット２の切り欠き壁１０ｂ（図６等参照）が矩形状ストッパ突起４ｍ（図５（ｃ）等参照）に当接するまで、撮像ユニット２を左から右方向（図１、図２において、矢印Ｆ５方向、図３３において、矢印Ｆ２と反対方向）に移動させる。その後、撮像ユニット２を背壁部１Ｂから離れる方向（図３２においてＦ１と反対方向）に移動させる。これにより、カメラボディ１に対する撮像ユニット２の取り外しが完了する。なお、ロック解除操作部材２６およびロック板２５は、ロック解除ボタン２６ｄから指を離すと、ロック用スプリング２８の付勢力により元の位置に復帰する。
【０１７７】
このように、実施例１では、撮影者が右手でグリップ部１ｃを持って、かつ、上壁部１Ｄが上側に位置し、レンズ系を前方の被写体に向けて使用する状態を通常使用状態として、この通常使用時には、使用者が操作しにくい右方向（図１のＦ４参照）が解除操作方向となっているので、グリップ部１ｃの通常の握持状態で、使用時の誤操作に起因して撮像ユニット２がカメラボディ１から脱落する懸念を低減できる。
【０１７８】
このように、カメラボディ１では、撮像ユニット２を取り外す際、当該撮像ユニット２との接続の解除を正確かつスムースに行うことができる。
（ロック機構２４の強制解除の説明）
次に、ロック解除ボタン２６ｄを解除操作してもロック機構２４のロック状態を解除することができなくなった場合（以下では、第１ロック解除機構２４ａが使えなくなるという。）におけるロック機構２４の解除方法について説明する。
【０１７９】
このような第１ロック解除機構２４ａが使えなくなることは、不測の事態が生じることにより、ロック解除ボタン２６ｄへの押圧による解除操作では一体化されたロック板２５およびロック解除操作部材２６を解除操作方向へと回動させることができなくなることや、ロック板２５とロック解除操作部材２６との連結が外れてロック解除ボタン２６ｄを解除操作してもロック板２５を解除操作方向へと回動させることができなくなることが考えられる。
【０１８０】
先ず、撮像ユニット２が凹部１Ａに装着（セット）された状態のままで、カメラボディ１への後カバー部材１Ｔの取り付けのための止めネジ１ｐ（実施例１では７つあり、１つはグリップ部材１Ｓ’を剥す必要がある（図３Ｂ、図３Ｃ参照））を外して、後カバー部材１Ｔをカメラボディ１から取り外す（図３５参照）。すると、図３６に示すように、ＡＤＪレバー５ｐの下方において、ロック板２５の強制ロック解除用突起部２５ｅが露出し、外方からの強制ロック解除用突起部２５ｅの引っ張り操作、すなわち解除操作方向への回動操作が可能となる。
【０１８１】
この強制ロック解除用突起部２５ｅを引っ張るように（図３８、図３９においてＦ６方向）に操作する。すると、ロック板２５は、支軸２７を支点にして解除操作方向（図３９においてＦ７方向）に回動し、ロック板２５のロック爪２５ｃが、支軸２７を支点にして切り欠き部２０ｃから退避する方向（後方）に回動される。これにより、ロック爪２５ｃと被ロック爪２０ｄとの噛み合い（係合）が解除される。すなわち、カメラボディ１に対する撮像ユニット２のロック（ロック状態）が解除される。
【０１８２】
ここで、強制ロック解除用突起部２５ｅは、板金部材で形成されたロック板２５の一部を形成する構成（ロック部材であるロック板２５を形成する同一の板金部材の一部が延在されて一体的をされた構成）であることから、第１ロック解除機構２４ａが使えなくなった原因に拘らず強制的にロック板２５を解除操作方向（図３８、図３９においてＦ６方向）へと回動させることができるので、ロック機構２４のロック状態を解除することができる。このため、強制ロック解除用突起部２５ｅは、ロック板２５および支軸２７との協働により、カメラボディ１の外装部材の一部（実施例１では後カバー部材１Ｔ）を取り外すことにより露出するように配置され、その取り外し状態において外方からロック機構２４によるロック状態の解除操作を行うことができる第２ロック解除機構２４ｂとして機能する。
【０１８３】
後は、上記した通常のカメラボディ１からの撮像ユニット２の取り外し手順と同様に、撮像ユニット２をカメラボディ１から取り外すことができる。
【０１８４】
このように、実施例１のカメラボディ１（撮像装置）では、不測の事態が生じることにより、第１ロック解除機構２４ａが使えなくなってしまった場合であっても、後カバー部材１Ｔを取り外して第２ロック解除機構２４ｂを解除操作することにより、撮像ユニット２をカメラボディ１から取り外すことができる。すなわち、このカメラボディ１（撮像装置）では、第２ロック解除機構２４ｂがカメラボディ１に対して着脱自在とされた撮像ユニット２の取り外しのためのフェールセーフ機構として機能するので、不測の事態が生じた場合であっても、カメラボディ１や撮像ユニット２を解体することなく後カバー部材１Ｔを取り外すだけで撮像ユニット２をカメラボディ１から取り外すことができる。
【０１８５】
また、実施例１のカメラボディ１（撮像装置）では、カメラボディ１の外装部材の一部である後カバー部材１Ｔが、凹部１Ａに装着された撮像ユニット２に干渉しない構成であって、外方から螺合される７つの止めネジ１ｐによりカメラボディ１に取り付けられていることから、撮像ユニット２を凹部１Ａに装着（セット）した状態であってもカメラボディ１から取り外すことができる。このため、このカメラボディ１（撮像装置）では、後カバー部材１Ｔを、第２ロック解除機構２４ｂとしての強制ロック解除用突起部２５ｅの露出および引っ張り操作（解除操作方向への回動操作）を可能とするために、露出機能部すなわち撮像ユニット２がカメラボディ１に装着された状態で取り外し可能なカメラボディ１の外装部材の一部として機能させることができる。
【０１８６】
さらに、実施例１のカメラボディ１（撮像装置）では、第２ロック解除機構２４ｂとしての強制ロック解除用突起部２５ｅの露出および引っ張り操作（解除操作方向への回動操作）を可能とするために、撮像ユニット２がカメラボディ１に装着された状態で取り外し可能なカメラボディ１の外装部材の一部として設定された後カバー部材１Ｔ以外の外装部材（前カバー部材１Ｓおよび上カバー部材１Ｕ）が、凹部１Ａを利用すべく当該凹部１Ａの構成壁面に螺合（配置）される止めネジ（実施例１では、２つの止めネジ５ｆおよび３つの止めネジ６ｆ）により、当該カメラボディ１に取り付けられている。このため、カメラボディ１では、通常の使用状態において、上カバー部材１Ｕおよび前カバー部材１Ｓの取り付けのための止めネジが視認されることはなく、高い外観品質を有している。
【０１８７】
実施例１のカメラボディ１（撮像装置）では、第２ロック解除機構２４ｂの解除操作方向への回動操作を可能とするためには、７つの止めネジ１ｐを外して後カバー部材１Ｔを取り外す必要があることから、使用者が誤って第２ロック解除機構２４ｂを解除操作してしまうことを、確実に防止することができる。
【０１８８】
実施例１のカメラボディ１（撮像装置）では、第２ロック解除機構２４ｂとしての強制ロック解除用突起部２５ｅの露出および引っ張り操作（解除操作方向への回動操作）を可能とするために、撮像ユニット２がカメラボディ１に装着された状態で取り外し可能なカメラボディ１の外装部材の一部として後カバー部材１Ｔを設定していることから、例えば、ストロボ装置５ｘの可動部を有することにより煩雑な構成となり易い上カバー部材１Ｕを当該外装部材の一部に設定することに比較して、その外装部材の一部の取り外し作業を容易なものとすることができる。
【０１８９】
実施例１のカメラボディ１（撮像装置）では、撮像ユニット２の装着のための凹部１Ａを利用することで、撮像ユニット２が装着された状態において外部から目視することのできない位置にネジ等の剛性向上に寄与する部材を設けることができるので、外観品質の低下を招くことなく、カメラボディ１自体延いては撮像ユニット２が装着された撮像装置の剛性を容易に向上させることができる。これは、以下のことによる。撮像ユニット２の装着のための凹部１Ａが設けられていないカメラボディ、すなわち撮像ユニット交換式ではない構成（撮像ユニットの着脱を意図せず撮像光学系がカメラボディに一体化されて収容された通常の撮像装置）のカメラボディでは、外方からの止めネジの螺合により外装部材を取り付けるものとすると、当該止めネジの目視が可能となってしまい外観品質の低下を招くこととなる一方、このような止めネジの本数を少なくしたり外装部材をカメラボディに係合可能な構成としたりすると、カメラボディの剛性の向上を図ることが困難となってしまう。これに対して、本発明のカメラボディ１（撮像装置）では、撮像ユニット２がカメラボディ１に装着された状態で取り外し可能なカメラボディ１の外装部材の一部として設定された後カバー部材１Ｔ以外の外装部材である前カバー部材１Ｓおよび上カバー部材１Ｕが、凹部１Ａを利用すべく当該凹部１Ａの構成壁面に螺合（配置）される２つの止めネジ５ｆおよび３つの止めネジ６ｆによりカメラボディ１に取り付けられている。このように凹部１Ａを利用して凹部１Ａの構成壁面に止めネジ（止めネジ５ｆおよび止めネジ６ｆ）を螺合（配置）するものとすると、撮像ユニット２がカメラボディ１に装着された状態では、当該止めネジの目視ができなくなることから、上記した通常の撮像装置に比較して、外観品質の低下を招くことなく、カメラボディ１自体延いては撮像ユニット２が装着された撮像装置の剛性を向上させることができる。加えて、実施例１のカメラボディ１（撮像装置）では、凹部１Ａを構成する背壁部１Ｂにボディ用背壁面補強板金部材４が設けられ、かつ側壁部１Ｃにボディ用側壁面補強板金部材６が設けられ、さらに上壁部１Ｄにボディ用上壁面補強板金部材５が設けられている（凹部を利用して剛性向上に寄与する部材を設けている）ことから、上記した通常の撮像装置に比較して、外観品質の低下を招くことなく、カメラボディ１自体延いては撮像ユニット２が装着された撮像装置の剛性を向上させることができる。
【０１９０】
なお、上記した実施例１では、第２ロック解除機構２４ｂとしての強制ロック解除用突起部２５ｅが、側壁部１Ｃにおいてロック機構２４がロック状態であるときにＡＤＪレバー５ｐの下方に位置するように設けられていたが、撮像ユニット２がカメラボディ１に装着された状態で取り外し可能なカメラボディ１の外装部材の一部として設定された後カバー部材１Ｔが取り外された際に、露出および引っ張り操作（解除操作方向への回動操作）が可能となる位置に設けられていればよく、実施例１に限定されるものではない。
【０１９１】
また、上記した実施例１では、撮像ユニット２がカメラボディ１に装着された状態で取り外し可能なカメラボディ１の外装部材の一部として設定された後カバー部材１Ｔ以外の外装部材である前カバー部材１Ｓおよび上カバー部材１Ｕが、凹部１Ａの構成壁面に螺合（配置）される止めネジにより当該カメラボディ１に取り付けられていたが、カメラボディ１に取り付けられていればよく、実施例１に限定されるものではない。
【実施例２】
【０１９２】
次に、本発明の実施例２に係るカメラボディ１（撮像装置）について説明する。この実施例２は、カメラボディ１に設けられたロック機構２４の強制解除のための構成が異なる例である。この実施例２のカメラボディ１（その装着ための構成）および装着される撮像ユニット２は、基本的な構成は上記した実施例１のカメラボディ１および撮像ユニット２と同様であることから、等しい構成の個所には同じ符号を付し、その詳細な説明は省略する。図４０は、実施例２に係るカメラボディ１の上カバー部材１Ｕを取り外した様子を模式的に示しつつその要所を拡大して示す説明図である。
【０１９３】
実施例２のカメラボディ１では、上カバー部材１Ｕ（図１等参照）を、撮像ユニット２がカメラボディ１に装着された状態で取り外し可能なカメラボディ１の外装部材の一部として設定した例である。すなわち、上カバー部材１Ｕは、実施例２のカメラボディ１では、凹部１Ａを利用すべく当該凹部１Ａの構成壁面に螺合（配置）される止めネジ（３つの止めネジ５ｆ）により当該カメラボディ１に取り付ける構成に代えて、図示は略すが外側から複数の止めネジが螺合されることにより、当該カメラボディ１に取り付けられる構成とされている。この各止めネジ（図示せず）の位置および本数は、カメラボディ１の構成および上カバー部材１Ｕの剛性等を考慮して適宜設定すればよい。
【０１９４】
また、実施例２のカメラボディ１では、上カバー部材１Ｕを、撮像ユニット２がカメラボディ１に装着された状態で取り外し可能なカメラボディ１の外装部材の一部として設定していることから、後カバー部材１Ｔは、図示は略すが、カメラボディ１の前面側に設けられた凹部１Ａを利用すべく当該凹部１Ａの構成壁面に螺合（配置）される止めネジにより、当該カメラボディ１に取り付ける構成とされている。この実施例２では、後カバー部材１Ｔは、ボディ用背壁面補強板金部材４を背壁部１Ｂに固定すべく、カメラボディ１の前面側に設けられた凹部１Ａの構成壁面の一部である背壁部１Ｂの背壁面に螺合（配置）される８つの止めネジ４ｆ’により（図５Ｃ参照）、当該カメラボディ１に取り付けられている。
【０１９５】
このように、実施例２のカメラボディ１では、撮像ユニット２がカメラボディ１に装着された状態で、上カバー部材１Ｕを取り外すことができる。この上カバー部材１Ｕを取り外した状態を示した説明図が図４０である。この図４０に示すように、上カバー部材１Ｕを取り外したカメラボディ１では、ロック機構２４のロック板２５の上方（Ｙ方向負側）には、補強のためにグリップ部１ｃと側壁部１Ｃと背壁部１Ｂとを架け渡す板金部材７１が設けられているのみである。また、ロック機構２４の周囲には、側壁部１Ｃに連接するグリップ部１ｃに形成された収納室に収納されている回路基板７２が離間して配置されているのみである。このため、カメラボディ１では、ロック板２５の周辺において、上カバー部材１Ｕを取り外した際、板金部材７１の前方（Ｚ方向正側）の空間Ｓｐ１と、板金部材７１の後方（Ｚ方向負側）の空間Ｓｐ２とに、露出および引っ張り操作（解除操作方向への回動操作）が可能な第２ロック解除機構２４ｂを設けることができる。実施例２では、実施例１と同様のロック板２５を用いることにより、空間Ｓｐ２に第２ロック解除機構２４ｂとしての強制ロック解除用突起部２５ｅを設ける構成としている。
【０１９６】
実施例２のカメラボディ１（撮像装置）では、第１ロック解除機構２４ａが使えなくなった場合、先ず、撮像ユニット２が凹部１Ａに装着（セット）された状態のままで、カメラボディ１への上カバー部材１Ｕの取り付けのための止めネジ（図示せず）を外して、上カバー部材１Ｕをカメラボディ１から取り外す。すると、空間Ｓｐ２において、ロック板２５の強制ロック解除用突起部２５ｅが露出し、外方からの強制ロック解除用突起部２５ｅの引っ張り操作、すなわち解除操作方向への回動操作が可能となる。
【０１９７】
この強制ロック解除用突起部２５ｅを後方へ引っ張るように（Ｆ８方向）に操作する。すると、ロック板２５は、支軸２７を支点にして解除操作方向（図３９のＦ７参照）に回動し、ロック板２５のロック爪２５ｃが、支軸２７を支点にして切り欠き部２０ｃから退避する方向（後方）に回動される。これにより、ロック爪２５ｃと被ロック爪２０ｄとの噛み合い（係合）が解除される。すなわち、カメラボディ１に対する撮像ユニット２のロック（ロック状態）が解除される。このように、強制ロック解除用突起部２５ｅは、ロック板２５および支軸２７との協働により、カメラボディ１の外装部材の一部（実施例２では上カバー部材１Ｕ）を取り外すことにより露出するように配置され、その取り外し状態において外方からロック機構２４によるロック状態の解除操作を行うことができる第２ロック解除機構２４ｂとして機能する。
【０１９８】
後は、実施例１で述べた通常のカメラボディ１からの撮像ユニット２の取り外し手順と同様に、撮像ユニット２をカメラボディ１から取り外すことができる。
【０１９９】
このように、実施例２のカメラボディ１（撮像装置）では、不測の事態が生じることにより、第１ロック解除機構２４ａが使えなくなってしまった場合であっても、上カバー部材１Ｕを取り外して第２ロック解除機構２４ｂを解除操作することにより、撮像ユニット２をカメラボディ１から取り外すことができる。すなわち、このカメラボディ１（撮像装置）では、第２ロック解除機構２４ｂがカメラボディ１に対して着脱自在とされた撮像ユニット２の取り外しのためのフェールセーフ機構として機能するので、不測の事態が生じた場合であっても、カメラボディ１や撮像ユニット２を解体することなく上カバー部材１Ｕを取り外すだけで撮像ユニット２をカメラボディ１から取り外すことができる。
【０２００】
また、実施例２のカメラボディ１（撮像装置）では、カメラボディ１の外装部材の一部である上カバー部材１Ｕが、外方から螺合される複数の止めネジ（図示せず）によりカメラボディ１に取り付けられていることから、撮像ユニット２を凹部１Ａに装着（セット）した状態であってもカメラボディ１から取り外すことができる。このため、このカメラボディ１（撮像装置）では、上カバー部材１Ｕを、第２ロック解除機構２４ｂとしての強制ロック解除用突起部２５ｅの露出および引っ張り操作（解除操作方向への回動操作）を可能とするために、露出機能部すなわち撮像ユニット２がカメラボディ１に装着された状態で取り外し可能なカメラボディ１の外装部材の一部として機能させることができる。
【０２０１】
さらに、実施例２のカメラボディ１（撮像装置）では、第２ロック解除機構２４ｂとしての強制ロック解除用突起部２５ｅの露出および引っ張り操作（解除操作方向への回動操作）を可能とするために、撮像ユニット２がカメラボディ１に装着された状態で取り外し可能なカメラボディ１の外装部材の一部として設定された上カバー部材１Ｕ以外の外装部材（前カバー部材１Ｓおよび後カバー部材１Ｔ）が、凹部１Ａを利用すべく当該凹部１Ａの構成壁面に螺合（配置）される止めネジ（実施例２では、３つの止めネジ６ｆおよび８つの止めネジ４ｆ’）により、当該カメラボディ１に取り付けられている。このため、カメラボディ１では、通常の使用状態において、前カバー部材１Ｓおよび後カバー部材１Ｔの取り付けのための止めネジが視認されることはなく、高い外観品質を有している。
【０２０２】
実施例２のカメラボディ１（撮像装置）では、カメラボディ１の外装部材の一部として上カバー部材１Ｕが設定されており、当該上カバー部材１Ｕを取り外した際、第２ロック解除機構２４ｂをロック板２５の周辺の空間Ｓｐ１または空間Ｓｐ２の任意の位置に設けても、露出および引っ張り操作（解除操作方向への回動操作）が可能な構成とすることができるので、第２ロック解除機構２４ｂの設定位置すなわちロック板２５の構成の自由度が高められている。これは、ロック機構２４（ロック板２５）が上カバー部材１Ｕに近接して設けられており、かつそのロック板２５がＹ方向に延在する支軸２７回りにＸ−Ｚ平面に沿って回動する構成であることによる。
【０２０３】
実施例２のカメラボディ１（撮像装置）では、第２ロック解除機構２４ｂの解除操作方向への回動操作を可能とするためには、複数の止めネジを外して上カバー部材１Ｕを取り外す必要があることから、使用者が誤って第２ロック解除機構２４ｂを解除操作してしまうことを、確実に防止することができる。
【０２０４】
実施例２のカメラボディ１（撮像装置）では、撮像ユニット２の装着のための凹部１Ａを利用することで、撮像ユニット２が装着された状態において外部から目視することのできない位置にネジ等の剛性向上に寄与する部材を設けることができるので、外観品質の低下を招くことなく、カメラボディ１自体延いては撮像ユニット２が装着された撮像装置の剛性を容易に向上させることができる。
【０２０５】
なお、上記した実施例２では、第２ロック解除機構２４ｂとしての強制ロック解除用突起部２５ｅが、ロック機構２４がロック状態であるときに空間Ｓｐ２に位置するように設けられていたが、撮像ユニット２がカメラボディ１に装着された状態で取り外し可能なカメラボディ１の外装部材の一部として設定された上カバー部材１Ｕが取り外された際に、露出および引っ張り操作（解除操作方向への回動操作）が可能となる位置（上記した例では空間Ｓｐ１または空間Ｓｐ２）に設けられていればよく、実施例２に限定されるものではない。
【０２０６】
また、上記した実施例２では、撮像ユニット２がカメラボディ１に装着された状態で取り外し可能なカメラボディ１の外装部材の一部として設定された上カバー部材１Ｕ以外の外装部材である前カバー部材１Ｓおよび後カバー部材１Ｔが、凹部１Ａを利用すべく当該凹部１Ａの構成壁面に螺合（配置）される止めネジにより当該カメラボディ１に取り付けられていたが、カメラボディ１に取り付けられていればよく、実施例２に限定されるものではない。
【０２０７】
さらに、撮像ユニット２がカメラボディ１に装着された状態で取り外し可能なカメラボディ１の外装部材の一部として、上記した実施例１では後カバー部材１Ｔが設定され、上記した実施例２では上カバー部材１Ｕが設定されていたが、例えば、前カバー部材１Ｓを外装部材の一部として設定してもよく、実施例１および実施例２に限定されるものではない。
【実施例３】
【０２０８】
次に、本発明の実施例３に係るカメラボディ１（撮像装置）について説明する。この実施例３は、カメラボディ１に設けられたロック機構２４３の構成が異なる例である。この実施例３のカメラボディ１（その装着ための構成）および装着される撮像ユニット２は、基本的な構成は上記した実施例１のカメラボディ１および撮像ユニット２と同様であることから、等しい構成の個所には同じ符号を付し、その詳細な説明は省略する。図４１は、実施例３のロック機構２４３の構成を説明するための図３７と同様の説明図である。図４２は、実施例３のロック機構２４３の構成を説明するために、上側（Ｙ方向負側）から見たカメラボディ１を、上カバー部材１Ｕを省略して示す説明図である。図４３は、カメラボディ１において電池蓋７３を開いた様子を示す説明図である。図４４は、開いた電池蓋７３から電池収納空間７４を見た様子を斜視図で示す説明図である。図４５は、開いた電池蓋７３から電池収納空間７４を下側（Ｙ方向正側）から見た説明図である。
【０２０９】
実施例３のロック機構２４３では、図４１に示すように、ロック板２５３の構成（形状）が実施例１のロック機構２４とは異なるものとされている。ロック板２５３では、ロック爪２５ｃと嵌合凹所２５ｄとの中間位置に強制ロック解除用突起部２５ｅを設けることに変えて、平板状の強制ロック解除用突起部２５ｆが設けられている。この強制ロック解除用突起部２５ｆは、軸穴２５ａの近傍から延出されて設けられており、ロック機構２４がロック状態であるときにグリップ部１ｃの電池収納空間７４の上方に位置するように設けられている（図４２参照）。
【０２１０】
この電池収納空間７４は、図４３ないし図４５に示すように、グリップ部１ｃに形成された収納室（図示せず）の一部を構成する。電池収納空間７４は、カメラボディ１の下面に開閉自在に設けられた電池蓋７３を開けることにより、図示を略す電池の脱着が可能とされている。この電池収納空間７４には、電池の取り出しのための取出バネ７４ａと、電池への電気的な接続箇所となる電池接片７４ｂと、が設けられている。電池収納空間７４を規定する区画壁７４ｃには、連通開口７４ｄが設けられている。この連通開口７４ｄは、電池蓋７３を開けた状態において、電池が装着されていない電池収納空間７４を介して、その電池収納空間７４の上方（図４４、図４５を正視した電池収納空間７４の奥側）に設けられた強制ロック解除用突起部２５ｆの露出および解除操作方向への回動操作を可能とすべく設けられている。このため、強制ロック解除用突起部２５ｆは、ロック機構２４がロック状態であるときに、電池収納空間７４を下側（Ｙ方向正側）から覗き見て、取出バネ７４ａおよび電池接片７４ｂと干渉しない位置となるように設定されている（図４５参照）。
【０２１１】
なお、カメラボディ１では、電池蓋７３を開けることにより図示を略す記憶媒体の脱着が可能とされた記憶媒体収納空間７５と、電池蓋７３の開閉に拘らず三脚の装着が可能とされた三脚ネジ部７６と、が電池収納空間７４と併設されている。
【０２１２】
また、実施例３のカメラボディ１では、電池蓋７３を開ければ、電池収納空間７４および連通開口７４ｄを経て、強制ロック解除用突起部２５ｆが露出し、その解除操作方向への回動操作が可能とされていることから、前カバー部材１Ｓ、後カバー部材１Ｔおよび上カバー部材１Ｕは、図示は略すが、カメラボディ１の前面側に設けられた凹部１Ａを利用すべく当該凹部１Ａの構成壁面に螺合（配置）される止めネジ（例えば、２つの止めネジ５ｆ、３つの止めネジ６ｆおよび８つの止めネジ４ｆ’（図５Ｃ参照））により、当該カメラボディ１に取り付ける構成とされている。
【０２１３】
実施例３のカメラボディ１（撮像装置）では、第１ロック解除機構２４ａが使えなくなった場合、図４３ないし図４５に示すように、先ず、撮像ユニット２が凹部１Ａに装着（セット）された状態のままで、カメラボディ１の下面に設けられた電池蓋７３を開けて、図示を略す電池を取り出す。すると、図４４および図４５に示すように、電池収納空間７４を介し連通開口７４ｄを経て、ロック板２５の強制ロック解除用突起部２５ｆを覗き見ることが可能となる。ここで、強制ロック解除用突起部２５ｆすなわちロック板２５３（ロック機構２４３）は、上カバー部材１Ｕに近接して設けられていることから、カメラボディ１の下面側から見ると、電池収納空間７４の奥に位置しているので、ピンセットのような長尺な部材を用いて、電池収納空間７４および連通開口７４ｄを経て、解除操作方向への回動操作を行う必要がある。
【０２１４】
この強制ロック解除用突起部２５ｆを後方（Ｚ方向負側）へ移動させるように（図４２、図４５のＦ９方向）に操作する。すると、ロック板２５３は、支軸２７を支点にして解除操作方向（図４２、図４５のＦ９方向）に回動し、ロック板２５３のロック爪２５ｃが、支軸２７を支点にして切り欠き部２０ｃから退避する方向（後方）に回動される。これにより、ロック爪２５ｃと被ロック爪２０ｄとの噛み合い（係合）が解除される。すなわち、カメラボディ１に対する撮像ユニット２のロック（ロック状態）が解除される。
【０２１５】
ここで、強制ロック解除用突起部２５ｆは、板金部材で形成されたロック板２５３の一部を形成する構成（ロック部材であるロック板２５３を形成する同一の板金部材の一部が延在されて一体的をされた構成）であることから、第１ロック解除機構２４ａが使えなくなった原因に拘らず強制的にロック板２５３を解除操作方向（図４２、図４５においてＦ９方向）へと回動させることができるので、ロック機構２４３のロック状態を解除することができる。このように、強制ロック解除用突起部２５ｆは、ロック板２５３および支軸２７との協働により、カメラボディ１の外装部材の一部（実施例３では上カバー部材１Ｕ）を取り外すことにより露出するように配置され、その取り外し状態において外方からロック機構２４３によるロック状態の解除操作を行うことができる第２ロック解除機構２４ｂとして機能する。
【０２１６】
後は、実施例１で述べた通常のカメラボディ１からの撮像ユニット２の取り外し手順と同様に、撮像ユニット２をカメラボディ１から取り外すことができる。
【０２１７】
このように、実施例３のカメラボディ１（撮像装置）では、不測の事態が生じることにより、第１ロック解除機構２４ａが使えなくとなってしまった場合であっても、電池蓋７３を開け、図示を略す電池を取り出して、第２ロック解除機構２４ｂを解除操作することにより、撮像ユニット２をカメラボディ１から取り外すことができる。すなわち、このカメラボディ１（撮像装置）では、第２ロック解除機構２４ｂがカメラボディ１に対して着脱自在とされた撮像ユニット２の取り外しのためのフェールセーフ機構として機能するので、不測の事態が生じた場合であっても、カメラボディ１や撮像ユニット２を解体することなく電池蓋７３を開ければ、撮像ユニット２をカメラボディ１から取り外すことができる。
【０２１８】
また、実施例３のカメラボディ１（撮像装置）では、電池蓋７３が電池の着脱のために元々開閉自在な構成とされたものであることから、撮像ユニット２を凹部１Ａに装着（セット）した状態であってもカメラボディ１から取り外すことができる。このため、このカメラボディ１（撮像装置）では、電池蓋７３を、露出機能部、すなわち撮像ユニット２のカメラボディ１への装着に拘らず外装部材に開閉自在に設けられ、第２ロック解除機構２４ｂの解除操作方向への回動操作のために開くことが可能な開閉機構として利用することができる。
【０２１９】
さらに、実施例３のカメラボディ１（撮像装置）では、前カバー部材１Ｓ、後カバー部材１Ｔおよび上カバー部材１Ｕが、凹部１Ａを利用すべく当該凹部１Ａの構成壁面に螺合（配置）される止めネジ（例えば、２つの止めネジ５ｆ、３つの止めネジ６ｆおよび８つの止めネジ４ｆ’（図５Ｃ参照））により、当該カメラボディ１に取り付けられているので、カメラボディ１では、通常の使用状態において、当該止めネジが視認されることはなく、高い外観品質を有している。これは、撮像ユニット２のカメラボディ１への装着に拘らず外装部材に開閉自在に設けられた電池蓋７３を、第２ロック解除機構２４ｂとしての強制ロック解除用突起部２５ｆの解除操作方向への回動操作のために開くことが可能な開閉機構として利用していることから、撮像ユニット２がカメラボディ１に装着された状態で前カバー部材１Ｓ、後カバー部材１Ｔおよび上カバー部材１Ｕを取り外す必要がないことによる。
【０２２０】
実施例３のカメラボディ１（撮像装置）では、開成状態にある電池蓋７３から覗き見た電池収納空間７４の奥壁となる連通開口７４ｄを経て、さらに奥にある強制ロック解除用突起部２５ｆ（第２ロック解除機構２４ｂ）を解除操作方向へと回動操作する必要があることから、使用者が誤って第２ロック解除機構２４ｂを解除操作してしまうことを、防止することができる。
【０２２１】
実施例３のカメラボディ１（撮像装置）では、撮像ユニット２の装着のための凹部１Ａを利用することで、撮像ユニット２が装着された状態において外部から目視することのできない位置にネジ等の剛性向上に寄与する部材を設けることができるので、外観品質の低下を招くことなく、カメラボディ１自体延いては撮像ユニット２が装着された撮像装置の剛性を容易に向上させることができる。
【０２２２】
なお、上記した実施例３では、電池蓋７３を、第２ロック解除機構２４ｂの解除操作方向への回動操作のために開くことが可能な開閉機構として利用していたが、撮像ユニット２のカメラボディ１への装着に拘らず外装部材の開口部を開閉自在に設けられているものであれば、例えば、ＵＳＢやＡＶケーブルの接続ための接続端子（図４３、図４４の符号７７参照）を遮蔽するための蓋部材（図示せず）や、ポップアップ型のストロボ装置５ｘ（図１等参照）であってもよく、実施例３に限定されるものではない。
【０２２３】
また、上記した実施例３では、前カバー部材１Ｓ、後カバー部材１Ｔおよび上カバー部材１Ｕが、凹部１Ａを利用すべく当該凹部１Ａの構成壁面に螺合（配置）される止めネジにより当該カメラボディ１に取り付けられていたが、カメラボディ１に取り付けられていればよく、実施例３に限定されるものではない。
【実施例４】
【０２２４】
次に、本発明の実施例４に係るカメラボディ１（撮像装置）について説明する。この実施例４は、カメラボディ１に設けられたロック機構２４４の構成が異なる例である。この実施例４のカメラボディ１（その装着ための構成）および装着される撮像ユニット２は、基本的な構成は上記した実施例１のカメラボディ１および撮像ユニット２と同様であることから、等しい構成の個所には同じ符号を付し、その詳細な説明は省略する。図４６は、実施例４のロック機構２４４の構成を説明するための図３７と同様の説明図である。図４７は、実施例４のロック機構２４４の構成を説明するために、カメラボディ１のグリップ部１ｃの上部（Ｙ方向負側）を上カバー部材１Ｕを省略して示しつつその要所を拡大して示す説明図である。図４８は、ロック機構２４４の説明のために前カバー部材１Ｓの表面にグリップ部材１Ｓ’が張り付けられている様子を示す説明図である。図４９は、ロック機構２４４の説明のために前カバー部材１Ｓの表面からグリップ部材１Ｓ’を剥し取った様子を示しつつその要所を拡大して示す説明図である。
【０２２５】
実施例４のロック機構２４４では、図４６に示すように、ロック板２５４の構成（形状）が実施例１のロック機構２４や実施例３のロック機構２４３とは異なるものとされている。ロック板２５４では、ロック爪２５ｃと嵌合凹所２５ｄとの中間位置に強制ロック解除用突起部２５ｅを設けることや、軸穴２５ａの近傍から延出する平板状の強制ロック解除用突起部２５ｆを設けることに変えて、強制ロック解除用突起部２５ｇが設けられている。この強制ロック解除用突起部２５ｇは、軸穴２５ａの近傍から前カバー部材１Ｓへ向けて延出されて設けられている。
【０２２６】
強制ロック解除用突起部２５ｇは、図４６および図４７に示すように、軸穴２５ａの近傍から前方（Ｚ方向正側）へ向けて延在する延在基部分２５ｈと、その先端から下方（Ｙ方向正側）へ向けて延在する下方延在部分２５ｉと、その下端から前方（Ｚ方向正側）へ向けて延在する前側延在部分２５ｊと、その先端部において前側延在部分２５ｊよりも細い棒状とされて前方（Ｚ方向正側）へ向けて延在する操作用挿入部分２５ｋと、を有する。この強制ロック解除用突起部２５ｇは、ロック板２５４の軸穴２５ａに支軸２７が挿通された状態において、操作用挿入部分２５ｋが、後述する前カバー部材１Ｓに強制解除用開口部ｓ１（図４７、図４９参照）に遊嵌可能であり、かつ強制解除用開口部ｓ１から前側（Ｚ方向正側）に突出しない長さ寸法とされている。また、操作用挿入部分２５ｋは、ロック板２５４の解除操作方向への回動のために付与され得る解除操作としての付勢力（図４９に示す矢印Ｆ１０参照）に耐えることのできる最低限の太さ寸法とされている。なお、実施例４において、強制ロック解除用突起部２５ｇの延在基部分２５ｈから前側延在部分２５ｊへと至る間が下方延在部分２５ｉと前側延在部分２５ｊとにより屈曲されて構成されているので、強制ロック解除用突起部２５ｇがグリップ部１ｃに形成される収納室（図示せず）に干渉しないものとされている。
【０２２７】
実施例４のカメラボディ１では、前カバー部材１Ｓに強制解除用開口部ｓ１が設けられている（図４７、図４９参照）。この強制解除用開口部ｓ１は、前カバー部材１Ｓの表面にグリップ部材１Ｓ’が張り付けられた状態では、そのグリップ部材１Ｓ’により遮蔽される位置に設けられている（図４８参照）。強制解除用開口部ｓ１は、図４９に示すように、上下方向（Ｙ方向）で見て操作用挿入部分２５ｋの遊嵌を許す最低限の大きさ寸法とされている。また、強制解除用開口部ｓ１は、水平面（Ｘ−Ｚ平面）上でグリップ部１ｃの外観形状に倣う方向で見て、回動範囲内でのロック板２５４の回動に伴う操作用挿入部分２５ｋの移動を許容し、かつロック機構２４４がロック状態であるときの操作用挿入部分２５ｋよりも左側（Ｘ方向負側であって図４９に示す矢印Ｆ１０とは逆側）に解除操作用の棒状部材（図示せず）の挿入を可能とする最低限の大きさ寸法とされている。
【０２２８】
このように構成されていることから、実施例４のカメラボディ１では、強制解除用開口部ｓ１に遊嵌された操作用挿入部分２５ｋを、図４９に示す矢印Ｆ１０へと付勢することにより、解除操作方向へと回動操作することができる。このため、実施例４のカメラボディ１では、前カバー部材１Ｓ、後カバー部材１Ｔおよび上カバー部材１Ｕは、図示は略すが、カメラボディ１の前面側に設けられた凹部１Ａを利用すべく当該凹部１Ａの構成壁面に螺合（配置）される止めネジ（例えば、２つの止めネジ５ｆ、３つの止めネジ６ｆおよび８つの止めネジ４ｆ’（図５Ｃ参照））により、当該カメラボディ１に取り付ける構成とされている。
【０２２９】
実施例４のカメラボディ１（撮像装置）では、第１ロック解除機構２４ａが使えなくなった場合、先ず、撮像ユニット２が凹部１Ａに装着（セット）された状態のままで、カメラボディ１の前カバー部材１Ｓの表面に張り付けられたグリップ部材１Ｓ’（図４８参照）を剥す。すると、図４９に示すように、前カバー部材１Ｓに設けられた強制解除用開口部ｓ１が露出する。この強制解除用開口部ｓ１において、操作用挿入部分２５ｋよりも左側に図示を略す解除操作用の棒状部材を挿入し、操作用挿入部分２５ｋを右側（矢印Ｆ１０参照）へと付勢して解除操作方向へと回動操作する。すると、ロック板２５４は、支軸２７を支点にして解除操作方向（図４６のＦ１０方向）に回動し、ロック板２５４のロック爪２５ｃが、支軸２７を支点にして切り欠き部２０ｃから退避する方向（後方）に回動される。これにより、ロック爪２５ｃと被ロック爪２０ｄとの噛み合い（係合）が解除される。すなわち、カメラボディ１に対する撮像ユニット２のロック（ロック状態）が解除される。
【０２３０】
ここで、強制ロック解除用突起部２５ｇ（その操作用挿入部分２５ｋ）は、板金部材で形成されたロック板２５４の一部を形成する構成（ロック部材であるロック板２５４を形成する同一の板金部材の一部が延在されて一体的をされた構成）であることから、第１ロック解除機構２４ａが使えなくなった原因に拘らず強制的にロック板２５４を解除操作方向（図４６のＦ１０方向）へと回動させることができるので、ロック機構２４４のロック状態を解除することができる。このように、強制ロック解除用突起部２５ｇは、ロック板２５４と支軸２７との協働により、外方から外装部材に固定された部材（実施例４ではグリップ部材１Ｓ’）を取り外すことにより露出するように配置され、その取り外し状態において外方からロック機構２４４によるロック状態の解除操作を行うことができる第２ロック解除機構２４ｂとして機能する。
【０２３１】
後は、実施例１で述べた通常のカメラボディ１からの撮像ユニット２の取り外し手順と同様に、撮像ユニット２をカメラボディ１から取り外すことができる。
【０２３２】
このように、実施例４のカメラボディ１（撮像装置）では、不測の事態が生じることにより、第１ロック解除機構２４ａが使えなくなってしまった場合であっても、グリップ部材１Ｓ’を剥して、第２ロック解除機構２４ｂを解除操作することにより、撮像ユニット２をカメラボディ１から取り外すことができる。すなわち、このカメラボディ１（撮像装置）では、第２ロック解除機構２４ｂがカメラボディ１に対して着脱自在とされた撮像ユニット２の取り外しのためのフェールセーフ機構として機能するので、不測の事態が生じた場合であっても、カメラボディ１や撮像ユニット２を解体することなくグリップ部材１Ｓ’を剥すだけで、撮像ユニット２をカメラボディ１から取り外すことができる。
【０２３３】
また、実施例４のカメラボディ１（撮像装置）では、グリップ部材１Ｓ’が外装部材の外方から取り付けられたものであることから、撮像ユニット２を凹部１Ａに装着（セット）した状態であってもカメラボディ１から取り外すことができる。このため、このカメラボディ１（撮像装置）では、グリップ部材１Ｓ’を、露出機能部、すなわち撮像ユニット２のカメラボディ１への装着に拘らず外装部材の外方から固定され、第２ロック解除機構２４ｂの解除操作方向への回動操作を可能とするために外装部材（実施例４では前カバー部材１Ｓ）に設けられた解除用開口部（実施例４では強制解除用開口部ｓ１）を遮蔽する遮蔽部材として利用することができる。
【０２３４】
さらに、実施例４のカメラボディ１（撮像装置）では、前カバー部材１Ｓ、後カバー部材１Ｔおよび上カバー部材１Ｕが、凹部１Ａを利用すべく当該凹部１Ａの構成壁面に螺合（配置）される止めネジ（例えば、２つの止めネジ５ｆ、３つの止めネジ６ｆおよび８つの止めネジ４ｆ’（図５Ｃ参照））により、当該カメラボディ１に取り付けられているので、カメラボディ１では、通常の使用状態において、当該止めネジが視認されることはなく、高い外観品質を有している。これは、撮像ユニット２のカメラボディ１への装着に拘らず外装部材の外方から固定されたグリップ部材１Ｓ’を、第２ロック解除機構２４ｂの解除操作方向への回動操作を可能とするために前カバー部材１Ｓに設けられた強制解除用開口部ｓ１を遮蔽する遮蔽部材として利用していることから、撮像ユニット２がカメラボディ１に装着された状態で前カバー部材１Ｓ、後カバー部材１Ｔおよび上カバー部材１Ｕを取り外す必要がないことによる。
【０２３５】
実施例４のカメラボディ１（撮像装置）では、第２ロック解除機構２４ｂの解除操作方向への回動操作を可能とするために前カバー部材１Ｓに設けられた強制解除用開口部ｓ１が、極めて小さな大きさ寸法とされていることから、グリップ部材１Ｓ’の上からグリップ部１ｃを握持した使用者が違和感を覚えることを防止することができる。これは、操作用挿入部分２５ｋが、ロック板２５４の解除操作方向への回動のために付与され得る解除操作としての付勢力（図４９に示す矢印Ｆ１０参照）に耐えることのできる最低限の太さ寸法とされており、強制解除用開口部ｓ１が、操作用挿入部分２５ｋの遊嵌を許し、かつ回動範囲内でのロック板２５４の回動に伴う操作用挿入部分２５ｋの移動を許容し、しかもロック機構２４４がロック状態であるときの操作用挿入部分２５ｋよりも左側に図示を略す解除操作用の棒状部材の挿入を可能とする最低限の大きさ寸法とされていることによる。
【０２３６】
実施例４のカメラボディ１（撮像装置）では、強制ロック解除用突起部２５ｇが、ロック板２５４の軸穴２５ａに支軸２７が挿通された状態において、外装部材（前カバー部材１Ｓ）に設けられた開口部（強制解除用開口部ｓ１）に遊嵌される操作用挿入部分２５ｋが当該開口部から突出しない長さ寸法とされていることから、グリップ部材１Ｓ’の上からグリップ部１ｃを握持した使用者が違和感を覚えることを防止することができるとともに、第２ロック解除機構２４ｂのための構成を設けていない仕様のグリップ部材１Ｓ’を、強制解除用開口部ｓ１を遮蔽する遮蔽部材として利用することができる。
【０２３７】
実施例４のカメラボディ１（撮像装置）では、第２ロック解除機構２４ｂの解除操作方向への回動操作を可能とするためには、前カバー部材１Ｓに固定されたグリップ部材１Ｓ’を剥す必要があることから、使用者が誤って第２ロック解除機構２４ｂを解除操作してしまうことを、確実に防止することができる。
【０２３８】
実施例４のカメラボディ１（撮像装置）では、撮像ユニット２の装着のための凹部１Ａを利用することで、撮像ユニット２が装着された状態において外部から目視することのできない位置にネジ等の剛性向上に寄与する部材を設けることができるので、外観品質の低下を招くことなく、カメラボディ１自体延いては撮像ユニット２が装着された撮像装置の剛性を容易に向上させることができる。
【０２３９】
なお、上記した実施例４では、グリップ部材１Ｓ’を、第２ロック解除機構２４ｂの解除操作方向への回動操作を可能とするために外装部材（実施例４では前カバー部材１Ｓ）に設けられた解除用開口部（実施例４では強制解除用開口部ｓ１）を遮蔽する遮蔽部材として利用していたが、撮像ユニット２のカメラボディ１への装着に拘らず外装部材の外方から固定されるものであれば、例えば、図示は略すがナンバープレートや商品ロゴ銘板であってもよく、実施例４に限定されるものではない。
【０２４０】
また、上記した実施例４では、前カバー部材１Ｓを、第２ロック解除機構２４ｂの解除操作方向への回動操作を可能とするための開口部（実施例４では強制解除用開口部ｓ１）を設ける外装部材としていたが、撮像ユニット２のカメラボディ１への装着に拘らず外装部材の外方から遮蔽部材が固定される外装部材であれば、例えば、後カバー部材１Ｔや上カバー部材１Ｕであってもよく、実施例４に限定されるものではない。
【０２４１】
さらに、上記した実施例４では、前カバー部材１Ｓ、後カバー部材１Ｔおよび上カバー部材１Ｕが、凹部１Ａを利用すべく当該凹部１Ａの構成壁面に螺合（配置）される止めネジにより当該カメラボディ１に取り付けられていたが、カメラボディ１に取り付けられていればよく、実施例４に限定されるものではない。
【０２４２】
なお、上記した各実施例では、ロック機構２４が、支軸２７回りに回動自在とされたロック板２５（２５３、２５４）およびロック解除操作部材２６とを有する構成とされていたが、凹部１Ａに装着された撮像ユニット２が離脱することを防止すべく撮像ユニット２に設けられた被ロック部材（上記した各実施例では被ロック爪２０ｄ）と協働して撮像ユニット２をロックする役割を果たすものであれば、異なる形状や構成のロック板やロック解除操作部材を用いるものであってもよく、上記した各実施例に限定されるものではない。このとき、第２ロック解除機構２４ｂ（強制ロック解除用突起部２５ｅ、２５ｆ、２５ｇ）は、撮像ユニット２に設けられた被ロック部材（上記した各実施例では被ロック爪２０ｄ）と直接係合するロック部材（ロック板２５、２５３、２５４）と同一の部材から一体的に構成されていることが望ましい。
【０２４３】
また、上記した各実施例では、撮像ユニット２の装着のための凹部１Ａが、一体に形成された背壁部１Ｂと側壁部１Ｃと上壁部１Ｄとにより構成されていたが、撮像ユニットの着脱が可能な構成とされていればよく、上記した各実施例に限定されるものではない。加えて、撮像ユニットの装着箇所（上記した各実施例では凹部１Ａ）へのガイド機構の構成、撮像ユニットのカメラボディに対する装着方向への移動を規制するロック機構の構成、そのロック機構によるロック状態の解除のための構成等は、同等の機能を有するものであればよく、上記した各実施例に限定されるものではない。
【０２４４】
さらに、上記した各実施例では、撮像ユニット２の装着のための凹部１Ａにおいて、側壁部１Ｃにボディ用側壁面補強板金部材６が設けられ、かつ上壁部１Ｄにボディ用上壁面補強板金部材５が設けられていたが、これらのボディ用側壁面補強板金部材６およびボディ用上壁面補強板金部材５の双方またはいずれか一方が設けられていない構成であってもよく、上記した各実施例に限定されるものではない。ここで、ボディ用背壁面補強板金部材４は、カメラボディ側ガイド機構を構成するものであることから設ける必要があるが、換言するとカメラボディ側ガイド機構を構成しない場合（例えば、ボディ用上壁面補強板金部材５がカメラボディ側ガイド機構を構成する場合）、このボディ用背壁面補強板金部材４が設けられていなくてもよい。
（ボディ用背壁面補強板金部材４にガイド穴１０ｈを形成し、ユニット用背面壁補強板金部材１０に係合突起４ｇを設けた撮像装置の構成）
以上の各実施例では、図７Ｃに拡大して示すようにカメラボディ１のボディ用背壁面補強板金部材４に係合突起４ｇを形成し、この係合突起４ｇをガイドするガイド穴１０ｈを図１１Ｃに示すように撮像ユニット２のユニット用背面壁補強板金部材１０に形成することとしたが、図５０に示すように、カメラボディ１のボディ用背壁面補強板金部材４にガイド穴１０ｈを形成し、図５１に示すように、撮像ユニット２のユニット用背面壁補強板金部材１０に係合突起４ｇを形成する構成としても同様の効果を奏する。
（その他の構成１）
以上説明したこれらの実施例では、カメラボディ１にガイド突起部４ｊを設け、撮像ユニット２にガイド突起進入許容穴１０ｐを設ける構成としたが、カメラボディ１にガイド突起進入許容穴１０ｐを設け、撮像ユニット２にガイド突起部４ｊを設ける構成としても良い。なお、この場合、係合爪４ｂは撮像ユニット２に形成される。
【０２４５】
また、これらの実施例では、撮像ユニット２に係合板部１０ｎ、板バネ２Ｋ、係合爪切り起部用案内穴１０ｒを設け、カメラボディ１に係合爪４ｂを設けているが、撮像ユニット２に係合爪４ｂを設け、カメラボディ１に係合板部１０ｎ、板バネ２Ｋ、係合爪切り起部用案内穴１０ｒを設ける構成としても良い。
【０２４６】
更に、これらの実施例では、カメラボディ１に補助嵌合突起１４を設け、撮像ユニット２に補助嵌合穴２２を設けているが、カメラボディ１に補助嵌合穴２２を設け、撮像ユニット２に補助嵌合突起１４を設ける構成としても良い。
【０２４７】
また、これらの実施例では、係合爪切り起部用案内穴１０ｒ、ガイド突起部４ｊ、係合板部１０ｎ、ガイド突起進入許容穴１０ｐ、補助嵌合突起１４、補助嵌合穴２２を２個づつ設け、１個の板バネ２Ｋに傾斜弾性板部ｋ５、ｋ６と当接板部ｋ７とからなる２個の付勢部を形成しているが、これらの個数は３個以上でも良い。
【０２４８】
また、これらの実施例では、ロック解除操作部材２６は、ロック解除ボタン２６ｄ（解除レバーともいう）が支軸２７を支点にして回動する構成としたが、ロック解除ボタン２６ｄを押しボタン式の構成やスライド式の構成とすることもできる。
【０２４９】
更には、これらの実施例では、撮像ユニット側コネクタ部１１が撮像ユニット２の左側面２ｃから突出し、カメラボディ１の側壁部１Ｃに形成した開口部５２内にカメラボディ側コネクタ部１２を設ける構成としているが、撮像ユニット２の左側面２ｃに開口部５２を設け、その開口部５２内に撮像ユニット側コネクタ部１１を配設し、カメラボディ側コネクタ部１２をカメラボディ１の側壁部１Ｃから突出させる構成とすることもできる。
【０２５０】
すなわち、撮像ユニット２の左側面２ｃと、カメラボディ１の側壁部１Ｃとのいずれか一方からコネクタ部が突出し、撮像ユニット２の左側面２ｃと、カメラボディ１の側壁部１Ｃとのいずれか他方に開口が設けられていれば良い。
【０２５１】
また、係合突起（角度規制部材）４ｇは、撮像ユニット２がカメラボディ１の凹部１Ａに配設されかつカメラボディ側コネクタ部１２と撮像ユニット側コネクタ部１１とが接続されている状態において、側壁部１Ｃと付勢部との間に配置されていると、係合突起（角度規制部材）４ｇの高さが低い場合でも、第１方向に対して直交する方向（Ｙ方向）回りの角度規制を図ることができる。
【０２５２】
また、係合突起（角度規制部材）４ｇは、撮像ユニット２がカメラボディ１の凹部１Ａに配設されかつカメラボディ側コネクタ部１２と撮像ユニット側コネクタ部１１とが接続されている状態において、係合突起（角度規制部材）４ｇが付勢部よりも側壁部１Ｃに近い位置に配置されていても、同様の角度規制を図ることができる。
【０２５３】
係合突起（角度規制部材）４ｇは、撮像ユニット２がカメラボディ１の凹部１Ａに配設されかつカメラボディ側コネクタ部１２と撮像ユニット側コネクタ部１１とが接続されている状態において、係合突起（角度規制部材）４ｇが、側壁部１Ｃに対して撮像ユニット２が接近又は離脱する第１方向（Ｘ方向）に対して垂直な方向（Ｙ方向）で見てカメラボディ側コネクタ部１２の略中央に配置されていると、撮像ユニット２の第１方向（Ｘ方向）回りの角度規制を図ることができる。
【０２５４】
係合突起（角度規制部材）４ｇは、撮像ユニット２がカメラボディ１の凹部１Ａに配設されかつカメラボディ側コネクタ部１２と撮像ユニット側コネクタ部１１とが接続されている状態において、係合突起（角度規制部材）４ｇが、側壁部１Ｃに対して撮像ユニット２が接近又は離脱する第１方向（Ｘ方向）に対して垂直な方向（Ｙ方向）で見て凹部１Ａの略中央に配置されていると、撮像ユニット２の第１方向（Ｘ方向）回りの角度規制をより一層図ることができる。
【０２５５】
付勢部が、側壁部１Ｃに対して撮像ユニット２が接近又は離脱する第１方向（Ｘ方向）に対して垂直な方向に間隔を設けて配置された第１付勢部（係合爪４ｂ、４ｂのいずれか一方）と第２付勢部（係合爪４ｂ、４ｂのいずれか他方）とを含み、係合突起（角度規制部材）４ｇが、第１方向（Ｘ方向）に対して略垂直な方向（Ｙ方向）で見て、第１係合爪４ｂと第２係合爪４ｂとの間の略中央に配置されていると、第１係合爪４ｂと第２係合爪４ｂとのいずれか一方の係合に不具合が生じた場合でも、撮像ユニット２の第１方向（Ｘ方向）回りの角度規制をより一層図ることができる。
【０２５６】
ガイド機構が、カメラボディ側ガイド機構と撮像ユニット側ガイド機構とからなり、撮像ユニット側ガイド機構は、撮像ユニット２の背面部２ｂに設けられて第１方向に対応する方向に延伸するガイド溝を含み、カメラボディ側ガイド機構は、カメラボディ１の背壁部１Ｂに設けられてガイド溝に挿入されるガイド突起を含み、ガイド突起は第１方向に対して垂直な方向に間隔を開けて配置された第１ガイド突起と第２ガイド突起とを含み、撮像ユニット２がカメラボディ１の凹部１Ａに配設され、カメラボディ側コネクタ部１２と撮像ユニット側コネクタ部１１とが接続されている状態において、
係合突起（角度規制部材）４ｇは、第１方向に対して垂直な方向で見て第１ガイド突起と第２ガイド突起との間に位置している。
（その他の構成２）
以上、この発明の実施の形態では、カメラボディ１に対して図３３に示す矢印Ｆ２方向又はその反対方向に撮像ユニット２を移動させる際に、カメラボディ１の背壁部１Ｂ（ボディ用背壁面補強板金部材４）に撮像ユニット２の背面部２ｂ（ユニット用背壁面補強板金部材１０）を当接させて摺動させる構成としたが、カメラボディ１の上壁部１Ｄ（ボディ用上壁面補強板金部材５）と撮像ユニット２の筐体２Ａの上面２ｄ（包囲壁２ｘまたは撮像ユニット用上壁面補強板金部材２０）とを当接させて、矢印Ｆ２方向又はその反対方向に摺動させる構成としても良い。
【０２５７】
このような構成とすると、カメラボディ１の上壁部１Ｄ（ボディ用上壁面補強板金部材５）と撮像ユニット２の筐体２Ａの上面２ｄ（包囲壁２ｘ又はユニット用上壁面補強板金部材２０）とは、第1の方向に撮像ユニット２を案内するガイド機構として機能する。
【０２５８】
また、ガイド突起部４ｊ、矩形状ストッパ突起４ｍ及び係合爪４ｂをカメラボディ１の上壁部１Ｄに設け、ガイド突起進入許容穴１０ｐ、切り欠き壁１０ｂ、係合爪進入許容穴１０ｑ及び係合爪切り起部用案内穴１０ｒを筐体２Ａの上面２ｄに設けても良い。
【０２５９】
このような構成とした場合、カメラボディ１の上壁部１Ｄに設けられたガイド突起部４ｊ、矩形状ストッパ突起４ｍ及び係合爪４ｂと、撮像ユニット２の上面２ｄに設けられたガイド突起進入許容穴１０ｐ、切り欠き壁１０ｂ、係合爪進入許容穴１０ｑ及び係合爪切り起部用案内穴１０ｒとが、第1の方向に撮像ユニット２を案内するガイド機構として機能する。
【０２６０】
また、逆に、ガイド突起部４ｊ、矩形状ストッパ突起４ｍ及び係合爪４ｂを撮像ユニット２の上面２ｄに設け、ガイド突起進入許容穴１０ｐ、切り欠き壁１０ｂ、係合爪進入許容穴１０ｑ及び係合爪切り起部用案内穴１０ｒをカメラボディ１の上壁部１Ｄに設けても良い。
【０２６１】
このように構成すると、撮像ユニット２の上面２ｄに設けられたガイド突起部４ｊ、矩形状ストッパ突起４ｍ及び係合爪４ｂと、カメラボディ１の上壁部１Ｄに設けられたガイド突起進入許容穴１０ｐ、切り欠き壁１０ｂ、係合爪進入許容穴１０ｑ及び係合爪切り起部用案内穴１０ｒとが、第1の方向に撮像ユニット２を案内するガイド機構として機能する。
【０２６２】
このように、カメラボディ１の上壁部１Ｄと撮像ユニット２の上面２ｄとにガイド機構の一部を配設することにより、撮像ユニット２とカメラボディ１との間の上下方向のガタツキをより一層抑制することができることになる。
【０２６３】
更に、背壁部１Ｂと上壁部１Ｄとの両方にこれらのガイド機構が設けられていても良い。
（その他の構成３）
以上、発明の実施の形態について説明したが、本発明は、これに限られるものではなく、例えば、図５２〜図５５に示すように、カメラボディ１の上壁部１Ｄの上面１ｆにストロボ装置と電子ビューファインダー１ｇとを装着可能なホットシュー部５ｔと、電子ビューファインダー接続端子５ｓと、ポップアップ式のストロボ発光部５ｘと、モードダイアルスイッチ５ｈとを設ける構成としても良い。なお、図５２に示す電子ビューファインダー接続端子５ｓは雌型コネクタから構成されている。この電子ビューファインダー接続端子５ｓには図５４に示す雄型コネクタとしての電子ビューファインダー接続端子５ｓ’が嵌合される。
【０２６４】
なお、その図５２〜図５５において、図５２はカメラボディ１を背面側から目視した状態であって電子ビューファインダー１ｇのカメラボディ１への装着前の状態を示し、図５３はカメラボディ１を背面側から目視した状態であって電子ビューファインダー１ｇのカメラボディ１への装着状態を示し、図５４はカメラボディ１を正面側から目視した状態であって電子ビューファインダー１ｇのカメラボディ１への装着前の状態を示し、図５５はカメラボディ１を正面から目視した状態であって電子ビューファインダー１ｇのカメラボディ１への装着状態を示している。
【０２６５】
以上、各実施例について説明したが、本発明に係わる撮像装置は、これらの各実施例の構成を適宜組み合わせて形成できるものである。
【符号の説明】
【０２６６】
１  カメラボディ
２  撮像ユニット
１Ａ  凹部
１Ｂ  （背面部としての）背壁部
１Ｃ  （側面部としての）側壁部
１Ｄ  （上面部としての）上壁部
２Ａ  筐体
１Ｓ’  （被覆部材としての）グリップ部材
１Ｔ  （カメラボディの外装部材の一部としての）後カバー部材
１Ｕ  （カメラボディの外装部材の一部としての）上カバー部材
２４、２４３、２４４  ロック機構
２４ａ  第１ロック解除機構
２４ｂ  第２ロック解除機構
２５、２５３、２５４  （ロック部材としての）ロック板
２５ｅ、２５ｆ、２５ｇ  （第２ロック解除機構としての）強制ロック解除用突起部
７３  （開閉機構としての）電池蓋
１０８  撮像素子
ｓ１  （解除用開口部としての）強制解除用開口部
【先行技術文献】
【特許文献】
【０２６７】
【特許文献１】特開２００５−３５４１７７号公報
【図１】
0005454089.tif 000002
【図２】
0005454089.tif 000003
【図３Ａ】
0005454089.tif 000004
【図３Ｂ】
0005454089.tif 000005
【図３Ｃ】
0005454089.tif 000006
【図４】
0005454089.tif 000007
【図５Ａ】
0005454089.tif 000008
【図５Ｂ】
0005454089.tif 000009
【図５Ｃ】
0005454089.tif 000010
【図６】
0005454089.tif 000011
【図７Ａ】
0005454089.tif 000012
【図７Ｂ】
0005454089.tif 000013
【図７Ｃ】
0005454089.tif 000014
【図８】
0005454089.tif 000015
【図９】
0005454089.tif 000016
【図１０Ａ】
0005454089.tif 000017
【図１０Ｂ】
0005454089.tif 000018
【図１１Ａ】
0005454089.tif 000019
【図１１Ｂ】
0005454089.tif 000020
【図１１Ｃ】
0005454089.tif 000021
【図１２】
0005454089.tif 000022
【図１３】
0005454089.tif 000023
【図１４】
0005454089.tif 000024
【図１５】
0005454089.tif 000025
【図１６】
0005454089.tif 000026
【図１７】
0005454089.tif 000027
【図１８】
0005454089.tif 000028
【図１９】
0005454089.tif 000029
【図２０】
0005454089.tif 000030
【図２１】
0005454089.tif 000031
【図２２】
0005454089.tif 000032
【図２３】
0005454089.tif 000033
【図２４】
0005454089.tif 000034
【図２５】
0005454089.tif 000035
【図２６】
0005454089.tif 000036
【図２７】
0005454089.tif 000037
【図２８】
0005454089.tif 000038
【図２９】
0005454089.tif 000039
【図３０】
0005454089.tif 000040
【図３１】
0005454089.tif 000041
【図３２】
0005454089.tif 000042
【図３３】
0005454089.tif 000043
【図３４】
0005454089.tif 000044
【図３５】
0005454089.tif 000045
【図３６】
0005454089.tif 000046
【図３７】
0005454089.tif 000047
【図３８】
0005454089.tif 000048
【図３９】
0005454089.tif 000049
【図４０】
0005454089.tif 000050
【図４１】
0005454089.tif 000051
【図４２】
0005454089.tif 000052
【図４３】
0005454089.tif 000053
【図４４】
0005454089.tif 000054
【図４５】
0005454089.tif 000055
【図４６】
0005454089.tif 000056
【図４７】
0005454089.tif 000057
【図４８】
0005454089.tif 000058
【図４９】
0005454089.tif 000059
【図５０】
0005454089.tif 000060
【図５１】
0005454089.tif 000061
【図５２】
0005454089.tif 000062
【図５３】
0005454089.tif 000063
【図５４】
0005454089.tif 000064
【図５５】
0005454089.tif 000065